(57)【要約】ＷＬＡＮにおける範囲拡大、基本サービスセット（ＢＳＳ）カラーラベリング、ならびにマルチユーザ（ＭＵ）フラグメンテーションおよび制御のためのシステム、方法、および手段が開示される。範囲拡大モードのために、範囲拡大通知／イネーブル化方式、クリアチャネル評価（ＣＣＡ）、ヘッドルームインジケーション、および／または電力スケーリングがもたらされ得る。アクセスポイント（ＡＰ）のもとでの複数のＢＳＳに対して、ＢＳＳカラーがもたらされ得る。アップリンク（ＵＬ）送信に、異なるフラグメンテーション能力がもたらされ得る。高効率（ＨＥ）トリガベースＵＬ  ＮＤＰ物理層コンバージェンスプロトコル（ＰＬＣＰ）プロトコルデータユニット（ＰＰＤＵ）フレームがもたらされ得る。ステーション（ＳＴＡ）は、ヌルデータパケット（ＮＤＰ）インジケーションおよびトリガタイプを備えたトリガフレームを受信することができる。ＳＴＡは、ＳＴＡがトリガフレームの意図された受信者であることを決定することができる。ＳＴＡは、トリガタイプに基づいて、制御フレームおよび／または管理フレームのためのＮＤＰ  ＰＰＤＵを用意することができる。
2019502327.tif 000002
【特許請求の範囲】
【請求項１】
無線ローカルエリアネットワーク（ＷＬＡＮ）アクセスポイント（ＡＰ）に関連付けられた方法であって、
前記ＡＰが複数のＷＬＡＮステーションに、範囲拡大発見に関連付けられたフレームを直交周波数分割多元接続（ＯＦＤＭＡ）を通じて送ることであり、前記フレームは前記複数のＷＬＡＮステーションのそれぞれがその送信電力を応答において示すようにとの命令を備える、ことと、
前記ＡＰが前記複数のＷＬＡＮステーションのうちの少なくとも１つから応答を受信することであり、前記応答は前記複数のＷＬＡＮステーションのうちの前記少なくとも１つの送信電力のインジケーションを備え、前記複数のＷＬＡＮステーションのうちの前記少なくとも１つからの前記応答は、スケジュールされたリソースユニット上のＯＦＤＭＡ、周波数領域ランダムアクセスを通して取得されたリソースユニット上のＯＦＤＭＡ、またはアップリンクマルチユーザ多入力多出力（ＵＬ−ＭＵ−ＭＩＭＯ）のうちの１つを通じて送られる、ことと、
前記ＡＰが、前記複数のＷＬＡＮステーションのうちの前記少なくとも１つが範囲拡大モードを用いて送信するべきかどうかを、前記応答内で示された前記送信電力に基づいて決定することと、
前記複数のＷＬＡＮステーションのうちの前記少なくとも１つが前記範囲拡大モードを用いて送信するべきであるとの決定に基づいて、前記ＡＰが前記複数のＷＬＡＮステーションのうちの前記少なくとも１つに、前記範囲拡大モードに切り換えるようにインジケーションを送ることと
を含む、方法。
【請求項２】
範囲拡大発見に関連付けられた前記フレームは、レガシーショートトレーニングフィールド（Ｌ−ＳＴＦ）、レガシーロングトレーニングフィールド（Ｌ−ＬＴＦ）、第１の高効率ＳＩＧ−Ａ（ＨＥ−ＳＩＧ−Ａ）フィールド、および第２のＨＥ−ＳＩＧ−Ａフィールドを備え、前記Ｌ−ＳＴＦおよび前記Ｌ−ＬＴＦは３ｄＢだけブーストされ、前記第１のＨＥ−ＳＩＧ−Ａフィールドおよび前記第２のＨＥ−ＳＩＧ−Ａフィールドは、範囲拡大発見に関連付けられた前記フレーム内で少なくとも１回反復される、請求項１に記載の方法。
【請求項３】
範囲拡大発見に関連付けられた前記フレームは、前記ＡＰの送信電力のインジケーションを備える、請求項１に記載の方法。
【請求項４】
範囲拡大発見に関連付けられた前記フレームは、前記複数のＷＬＡＮステーションのうちの１つまたは複数に関連付けられたグループ識別子を備える、請求項１に記載の方法。
【請求項５】
範囲拡大発見に関連付けられた前記フレームは、前記複数のＷＬＡＮステーションがそれらのそれぞれの応答を送るために用いることが想定される送信電力のインジケーションを備える、請求項１に記載の方法。
【請求項６】
前記複数のＷＬＡＮステーションのうちの前記少なくとも１つの前記送信電力の前記インジケーションは、前記複数のＷＬＡＮステーションのうちの前記少なくとも１つから受信される前記応答のプリアンブル内に含まれる、請求項１に記載の方法。
【請求項７】
前記複数のＷＬＡＮステーションのうちの前記少なくとも１つからの前記応答は、前記複数のＷＬＡＮステーションのうちの前記少なくとも１つが前記範囲拡大モードを用いることを望む旨のインジケーションを備える、請求項１に記載の方法。
【請求項８】
前記複数のＷＬＡＮステーションのうちの前記少なくとも１つからの前記応答は、レガシーショートトレーニングフィールド（Ｌ−ＳＴＦ）、レガシーロングトレーニングフィールド（Ｌ−ＬＴＦ）、第１の高効率ＳＩＧ−Ａ（ＨＥ−ＳＩＧ−Ａ）フィールド、および第２のＨＥ−ＳＩＧ−Ａフィールドを含むマルチユーザ直交周波数分割多元接続（ＭＵ−ＯＦＤＭＡ）制御フレームを備え、前記Ｌ−ＳＴＦおよび前記Ｌ−ＬＴＦは前記ＭＵ−ＯＦＤＭＡ制御フレーム内で３ｄＢだけブーストされ、前記第１のＨＥ−ＳＩＧ−Ａフィールドおよび前記第２のＨＥ−ＳＩＧ−Ａフィールドは、前記ＭＵ−ＯＦＤＭＡ制御フレーム内で少なくとも１回反復される、請求項１に記載の方法。
【請求項９】
前記複数のＷＬＡＮステーションのうちの前記少なくとも１つからの前記応答は、前記複数のＷＬＡＮステーションのうちの前記少なくとも１つが前記範囲拡大モードを用いることを望むかどうかを示すｎトーンＳＩＧフィールドをさらに備える、請求項８に記載の方法。
【請求項１０】
前記ＡＰによって前記複数のＷＬＡＮステーションのうちの前記少なくとも１つに送られる前記インジケーションは、ビーコンフレーム内に含まれる、請求項１に記載の方法。
【請求項１１】
無線ローカルエリアネットワーク（ＷＬＡＮ）アクセスポイント（ＡＰ）であって、
プロセッサを備え、前記プロセッサは、
複数のＷＬＡＮステーションに、範囲拡大発見に関連付けられたフレームを直交周波数分割多元接続（ＯＦＤＭＡ）を通じて送ることであり、前記フレームは前記複数のＷＬＡＮステーションのそれぞれがその送信電力を応答において示すようにとの命令を備える、こと、
前記複数のＷＬＡＮステーションのうちの少なくとも１つから応答を受信することであり、前記応答は前記複数のＷＬＡＮステーションのうちの前記少なくとも１つの送信電力のインジケーションを備え、前記複数のＷＬＡＮステーションのうちの前記少なくとも１つからの前記応答は、スケジュールされたリソースユニット上のＯＦＤＭＡ、周波数領域ランダムアクセスを通して取得されたリソースユニット上のＯＦＤＭＡ、またはアップリンクマルチユーザ多入力多出力（ＵＬ−ＭＵ−ＭＩＭＯ）のうちの１つを通じて送られる、こと、
前記複数のＷＬＡＮステーションのうちの前記少なくとも１つが範囲拡大モードを用いて送信するべきかどうかを、前記応答内で示された前記送信電力に基づいて決定すること、および
前記複数のＷＬＡＮステーションのうちの前記少なくとも１つが前記範囲拡大モードを用いて送信するべきであるとの決定に基づいて、前記複数のＷＬＡＮステーションのうちの前記少なくとも１つに、前記範囲拡大モードに切り換えるようにインジケーションを送ること
を実行するように構成される、ＡＰ。
【請求項１２】
範囲拡大発見に関連付けられた前記フレームは、レガシーショートトレーニングフィールド（Ｌ−ＳＴＦ）、レガシーロングトレーニングフィールド（Ｌ−ＬＴＦ）、第１の高効率ＳＩＧ−Ａ（ＨＥ−ＳＩＧ−Ａ）フィールド、および第２のＨＥ−ＳＩＧ−Ａフィールドを備え、前記Ｌ−ＳＴＦおよび前記Ｌ−ＬＴＦは３ｄＢだけブーストされ、前記第１のＨＥ−ＳＩＧ−Ａフィールドおよび前記第２のＨＥ−ＳＩＧ−Ａフィールドは、範囲拡大発見に関連付けられた前記フレーム内で少なくとも１回反復される、請求項１１に記載のＡＰ。
【請求項１３】
範囲拡大発見に関連付けられた前記フレームは、前記ＡＰの送信電力のインジケーションを備える、請求項１１に記載のＡＰ。
【請求項１４】
範囲拡大発見に関連付けられた前記フレームは、前記複数のＷＬＡＮステーションのうちの１つまたは複数に関連付けられたグループ識別子を備える、請求項１１に記載のＡＰ。
【請求項１５】
範囲拡大発見に関連付けられた前記フレームは、前記複数のＷＬＡＮステーションがそれらのそれぞれの応答を送るために用いることが想定される送信電力のインジケーションを備える、請求項１１に記載のＡＰ。
【請求項１６】
前記複数のＷＬＡＮステーションのうちの前記少なくとも１つの前記送信電力の前記インジケーションは、前記複数のＷＬＡＮステーションのうちの前記少なくとも１つから受信される前記応答のプリアンブル内に含まれる、請求項１１に記載のＡＰ。
【請求項１７】
前記複数のＷＬＡＮステーションのうちの前記少なくとも１つからの前記応答は、前記複数のＷＬＡＮステーションのうちの前記少なくとも１つが前記範囲拡大モードを用いることを望む旨のインジケーションを備える、請求項１１に記載のＡＰ。
【請求項１８】
前記複数のＷＬＡＮステーションのうちの前記少なくとも１つからの前記応答は、レガシーショートトレーニングフィールド（Ｌ−ＳＴＦ）、レガシーロングトレーニングフィールド（Ｌ−ＬＴＦ）、第１の高効率ＳＩＧ−Ａ（ＨＥ−ＳＩＧ−Ａ）フィールド、および第２のＨＥ−ＳＩＧ−Ａフィールドを含むマルチユーザ直交周波数分割多元接続（ＭＵ−ＯＦＤＭＡ）制御フレームを備え、前記Ｌ−ＳＴＦおよび前記Ｌ−ＬＴＦは３ｄＢだけブーストされ、前記第１のＨＥ−ＳＩＧ−Ａフィールドおよび前記第２のＨＥ−ＳＩＧ−Ａフィールドは、前記ＭＵ−ＯＦＤＭＡ制御フレーム内で少なくとも１回反復される、請求項１１に記載のＡＰ。
【請求項１９】
前記複数のＷＬＡＮステーションのうちの前記少なくとも１つからの前記応答は、前記複数のＷＬＡＮステーションのうちの前記少なくとも１つが前記範囲拡大モードを用いることを望むかどうかを示すｎトーンＳＩＧフィールドをさらに備える、請求項１８に記載のＡＰ。
【請求項２０】
前記範囲拡大モードに切り換えるように、前記複数のＷＬＡＮステーションのうちの前記少なくとも１つに送られる前記インジケーションは、ビーコンフレーム内に含まれる、請求項１１に記載のＡＰ。
【発明の詳細な説明】
【技術分野】
【０００１】
無線ローカルエリアネットワークにおける制御および動作に関する。
【背景技術】
【０００２】
関連出願の相互参照
本出願は、その開示全体が参照により本明細書に組み込まれている、２０１６年１月１４日に出願された米国特許仮出願第６２／２７８，５５８号の利益を主張するものである。
【０００３】
無線ローカルエリアネットワーク（ＷＬＡＮ）は、インフラストラクチャ基本サービスセット（ＢＳＳ）モードおよび独立ＢＳＳ（ＩＢＳＳ）モードなどの複数の動作モードを有し得る。インフラストラクチャＢＳＳモードでのＷＬＡＮは、ＢＳＳのためのアクセスポイント（ＡＰ）を含むことができる。１つまたは複数の無線送信受信ユニット（ＷＴＲＵ）、例えばステーション（ＳＴＡ）は、ＡＰに関連付けられ得る。ＡＰは、分配システム（ＤＳ）またはＢＳＳ内のまたはそれからのトラフィックを運ぶ他のタイプの有線／無線ネットワークへの、アクセスまたはインターフェースを有し得る。ＢＳＳの外部から生じるＳＴＡへのトラフィックはＡＰを通して到着することができ、ＡＰはトラフィックをＳＴＡに届けることができる。
【発明の概要】
【０００４】
ＷＬＡＮにおける制御および動作に関連するシステム、方法、および手段が開示される。範囲拡大モードのために、範囲拡大通知／イネーブル化方式、クリアチャネル評価（ＣＣＡ）、ヘッドルームインジケーション、および／または電力スケーリングがもたらされ得る。ＡＰのもとでの複数のＢＳＳに対して、ＢＳＳカラーがもたらされ得る。アップリンク（ＵＬ）送信に、異なるフラグメンテーション能力がもたらされ得る。高効率（ＨＥ）トリガベースＵＬヌルデータパケット（ＮＤＰ）物理層コンバージェンスプロトコル（ＰＬＣＰ）プロトコルデータユニット（ＰＰＤＵ）フレームがもたらされ得る。
【０００５】
ＡＰは複数のＷＬＡＮステーションに、範囲拡大発見に関連付けられたフレームを送ることができる。フレームは、直交周波数分割多元接続（ＯＦＤＭＡ）を通じて送られることができ、どのようにＷＬＡＮステーションがフレームに応答すべきかについての情報を含み得る（例えばフレームは、複数のＷＬＡＮステーションのそれぞれがその送信電力を応答において示すようにとの命令を含むことができ、フレームは、応答などを送るために複数のＷＬＡＮステーションのそれぞれが何のリソースを用いるべきかを指定することができる）。ＡＰは、複数のＷＬＡＮステーションのうちの少なくとも１つから応答を受信することができる。応答は、複数のＷＬＡＮステーションのうちの少なくとも１つの送信電力のインジケーションを含み得る。応答は、複数のＷＬＡＮステーションのうちの少なくとも１つによって、スケジュールされたリソースユニット上のＯＦＤＭＡ、周波数領域ランダムアクセスを通して取得されたリソースユニット上のＯＦＤＭＡ、またはアップリンクマルチユーザ多入力多出力（ＵＬ−ＭＵ−ＭＩＭＯ）のうちの１つを通じて送られ得る。ＡＰは、複数のＷＬＡＮステーションのうちの少なくとも１つが範囲拡大モードを用いて送信するべきかどうかを、応答内で示された送信電力に基づいて決定することができる。複数のＷＬＡＮステーションのうちの少なくとも１つが範囲拡大モードを用いて送信するべきであるとの決定に基づいて、ＡＰは、複数のＷＬＡＮステーションのうちの少なくとも１つに、範囲拡大モードに切り換えるようにインジケーションを送ることができる。
【０００６】
範囲拡大発見に関連付けられたフレームは、レガシーショートトレーニングフィールド（Ｌ−ＳＴＦ）、レガシーロングトレーニングフィールド（Ｌ−ＬＴＦ）、第１の高効率ＳＩＧ−Ａ（ＨＥ−ＳＩＧ−Ａ）フィールド、および第２のＨＥ−ＳＩＧ−Ａフィールドを含むことができる。Ｌ−ＳＴＦおよびＬ−ＬＴＦは３ｄＢだけブーストされることができ、ならびに第１のＨＥ−ＳＩＧ−Ａフィールドおよび第２のＨＥ−ＳＩＧ−Ａフィールドは、フレーム内で少なくとも１回反復され得る。範囲拡大発見に関連付けられたフレームは、ＡＰの送信電力のインジケーション、複数のＷＬＡＮステーションのうちの１つまたは複数に関連付けられたグループ識別子、および複数のＷＬＡＮステーションがそれらのそれぞれの応答を送るために用いることが想定される送信電力のインジケーションの、１つまたは複数を含むことができる。複数のＷＬＡＮステーションのうちの少なくとも１つの送信電力のインジケーションは、複数のＷＬＡＮステーションのうちの少なくとも１つから受信される応答のプリアンブル内に含まれ得る。複数のＷＬＡＮステーションのうちの少なくとも１つからの応答は、複数のＷＬＡＮステーションのうちの少なくとも１つが範囲拡大モードを用いることを望む旨のインジケーションを含むことができる。このようなインジケーションは、複数のＷＬＡＮステーションのうちの少なくとも１つからの応答の一部とすることができるｎトーンＳＩＧフィールド内に含まれ得る。複数のＷＬＡＮステーションのうちの少なくとも１つからの応答はＭＵ−ＯＦＤＭＡ制御フレームを含むことができ、これはひいてはＬ−ＳＴＦ、Ｌ−ＬＴＦ、第１のＨＥ−ＳＩＧ−Ａフィールド、およびＨＥ−ＳＩＧ−Ａフィールドを含み得る。応答内のＬ−ＳＴＦおよびＬ−ＬＴＦは３ｄＢだけブーストされることができ、第１のＨＥ−ＳＩＧ−Ａフィールドおよび第２のＨＥ−ＳＩＧ−Ａフィールドは、ＭＵ−ＯＦＤＭＡ制御フレーム内で少なくとも１回反復され得る。
【図面の簡単な説明】
【０００７】
【図１Ａ】１つまたは複数の開示される特徴が実施され得る、例示の通信システムの図である。
【図１Ｂ】例示的無線送信／受信ユニットＷＴＲＵを示す図である。
【図１Ｃ】例示的無線ローカルエリアネットワーク（ＷＬＡＮ）デバイスを示す図である。
【図２】範囲拡大（ＲＥ）モードおよび通常モードのための例示のプリアンブルを示す図である。
【図３】変調を用いた例示のＲＥモードを示す図である。
【図４】複数の基本サービスセット識別（ＢＳＳＩＤ）のための例示のビーコンフレームを示す図である。
【図５】マルチユーザ（ＭＵ）フレームの例示のフラグメンテーションを示す図である。
【図６Ａ】物理層コンバージェンスプロトコル（ＰＬＣＰ）を用いた送信受信の例を示す図である。
【図６Ｂ】物理層コンバージェンスプロトコル（ＰＬＣＰ）を用いた送信受信の例を示す図である。
【図７Ａ】ＰＬＣＰおよびＨＴ固定フォーマットを用いた送信受信の例を示す図である。
【図７Ｂ】ＰＬＣＰおよびＨＴ固定フォーマットを用いた送信受信の例を示す図である。
【図８】非ビーコンフレームを用いてＲＥを可能にする例を示す図である。
【図９】ＭＵ  ＲＥ発見のための例示のフレーム交換を示す図である。
【図１０】ＲＥ応答のための例示のＭＵ直交周波数分割多元接続（ＯＦＤＭＡ）ヌルデータパケット（ＮＤＰ）を示す図である。
【図１１】ＲＥフォーマットを用いたＲＥ応答のための例示のアップリンクＭＵ  ＯＦＤＭＡ  ＮＤＰを示す図である。
【図１２】ＨＥシングルユーザ（ＳＵ）ＰＰＤＵおよびＨＥ範囲拡大型ＳＵ  ＰＰＤＵのための例示のプリアンブルフォーマットを示す図である。
【図１３】ヘッドルーム制限による例示の電力調整を示す図である。
【図１４】例示の複数ＢＳＳＩＤ要素フォーマットを示す図である。
【図１５】トリガベースアップリンクＮＤＰ  ＰＰＤＵの例示の送信を示す図である。
【図１６】例示のアップリンクＭＵ−ＯＦＤＭＡ  ＮＤＰフレームを示す図である。
【発明を実施するための形態】
【０００８】
次に例示的実施形態の詳細な説明が、様々な図を参照して述べられる。この説明は可能な実装形態の詳細な例をもたらすが、詳細は例示的なものであり、本出願の範囲を限定するものでは全くないことが留意されるべきである。
【０００９】
図１Ａは、１つまたは複数の開示される特徴が実施され得る例示の通信システム１００の図である。例えば無線ネットワーク（例えば通信システム１００の１つまたは複数の構成要素を備えた無線ネットワーク）は、無線ネットワークを超えて広がるベアラに、ＱｏＳ特性が割り当てられ得るように構成され得る。
【００１０】
通信システム１００は、複数の無線ユーザに音声、データ、ビデオ、メッセージング、放送などのコンテンツをもたらす多元接続システムとすることができる。通信システム１００は、複数の無線ユーザが、無線帯域幅を含んだシステムリソースの共有を通して、このようなコンテンツにアクセスすることを可能にし得る。例えば通信システム１００は、符号分割多元接続（ＣＤＭＡ）、時分割多元接続（ＴＤＭＡ）、周波数分割多元接続（ＦＤＭＡ）、直交ＦＤＭＡ（ＯＦＤＭＡ）、シングルキャリアＦＤＭＡ（ＳＣ−ＦＤＭＡ）などの１つまたは複数のチャネルアクセス方法を使用することができる。
【００１１】
図１Ａに示されるように通信システム１００は、複数のＷＴＲＵ、例えばＷＴＲＵ１０２ａ、１０２ｂ、１０２ｃ、および１０２ｄなどのうちの少なくとも１つの無線送信／受信ユニット（ＷＴＲＵ）、無線アクセスネットワーク（ＲＡＮ）１０４、コアネットワーク１０６、公衆交換電話ネットワーク（ＰＳＴＮ）１０８、インターネット１１０、および他のネットワーク１１２を含むことができるが、開示される実施形態は任意の数のＷＴＲＵ、基地局、ネットワーク、および／またはネットワーク要素を企図することが理解されるべきである。ＷＴＲＵ１０２ａ、１０２ｂ、１０２ｃ、１０２ｄのそれぞれは、無線環境において動作および／または通信するように構成された任意のタイプのデバイスとすることができる。例としてＷＴＲＵ１０２ａ、１０２ｂ、１０２ｃ、１０２ｄは、無線信号を送信および／または受信するように構成されることができ、ユーザ機器（ＵＥ）、移動局、固定または移動体加入者ユニット、ページャ、携帯電話、携帯情報端末（ＰＤＡ）、スマートフォン、ラップトップ、ネットブック、パーソナルコンピュータ、無線センサ、民生用電子機器などを含むことができる。
【００１２】
通信システム１００はまた、基地局１１４ａおよび基地局１１４ｂを含むことができる。基地局１１４ａ、１１４ｂのそれぞれは、コアネットワーク１０６、インターネット１１０、および／またはネットワーク１１２などの、１つまたは複数の通信ネットワークへのアクセスを容易にするように、ＷＴＲＵ１０２ａ、１０２ｂ、１０２ｃ、１０２ｄのうちの少なくとも１つと無線でインターフェース接続するように構成された任意のタイプのデバイスとすることができる。例として基地局１１４ａ、１１４ｂは、基地トランシーバ局（ＢＴＳ）、ノードＢ、ｅノードＢ、ホームノードＢ、ホームｅノードＢ、サイトコントローラ、アクセスポイント（ＡＰ）、無線ルータなどとすることができる。基地局１１４ａ、１１４ｂはそれぞれ単一の要素として示されるが、基地局１１４ａ、１１４ｂは、任意の数の相互接続された基地局および／またはネットワーク要素を含み得ることが理解されるべきである。
【００１３】
基地局１１４ａは、基地局コントローラ（ＢＳＣ）、無線ネットワークコントローラ（ＲＮＣ）、中継ノードなどの、他の基地局および／またはネットワーク要素（図示せず）も含み得る、ＲＡＮ１０４の一部とすることができる。基地局１１４ａおよび／または基地局１１４ｂは、セル（図示せず）と呼ばれ得る特定の地理的領域内で、無線信号を送信および／または受信するように構成され得る。セルはセルセクタにさらに分割され得る。例えば基地局１１４ａに関連付けられたセルは、３つのセクタに分割され得る。従って一実施形態において基地局１１４ａは、３つのトランシーバ、すなわちセルの各セクタに対して１つを含むことができる。他の実施形態において基地局１１４ａは、多入力多出力（ＭＩＭＯ）技術を使用することができ、従ってセルの各セクタに対して複数のトランシーバを利用することができる。
【００１４】
基地局１１４ａ、１１４ｂは、任意の適切な無線通信リンク（例えば無線周波数（ＲＦ）、マイクロ波、赤外線（ＩＲ）、紫外線（ＵＶ）、可視光など）とすることができるエアインターフェース１１６を通して、ＷＴＲＵ１０２ａ、１０２ｂ、１０２ｃ、１０２ｄの１つまたは複数と通信することができる。エアインターフェース１１６は、任意の適切な無線アクセス技術（ＲＡＴ）を用いて確立され得る。
【００１５】
より具体的には上記のように通信システム１００は、多元接続方式とすることができ、ＣＤＭＡ、ＴＤＭＡ、ＦＤＭＡ、ＯＦＤＭＡ、ＳＣ−ＦＤＭＡなどの１つまたは複数のチャネルアクセス方式を使用することができる。例えばＲＡＮ１０４内の基地局１１４ａ、およびＷＴＲＵ１０２ａ、１０２ｂ、１０２ｃは、ユニバーサル移動体（電話）通信システム（ＵＭＴＳ）地上無線アクセス（ＵＴＲＡ）などの無線技術を実施することができ、これは広帯域ＣＤＭＡ（ＷＣＤＭＡ（登録商標））を用いてエアインターフェース１１６を確立することができる。ＷＣＤＭＡは、高速パケットアクセス（ＨＳＰＡ）および／またはＥｖｏｌｖｅｄ  ＨＳＰＡ（ＨＳＰＡ＋）などの通信プロトコルを含み得る。ＨＳＰＡは、高速ダウンリンクパケットアクセス（ＨＳＤＰＡ）および／または高速アップリンクパケットアクセス（ＨＳＵＰＡ）を含み得る。
【００１６】
他の実施形態において基地局１１４ａおよびＷＴＲＵ１０２ａ、１０２ｂ、１０２ｃは、Ｅｖｏｌｖｅｄ  ＵＭＴＳ地上無線アクセス（Ｅ−ＵＴＲＡ）などの無線技術を実施することができ、これはロングタームエボリューション（ＬＴＥ）および／またはＬＴＥ−Ａｄｖａｎｃｅｄ（ＬＴＥ−Ａ）を用いてエアインターフェース１１６を確立することができる。
【００１７】
他の実施形態において基地局１１４ａおよびＷＴＲＵ１０２ａ、１０２ｂ、１０２ｃは、ＩＥＥＥ  ８０２．１６（すなわちマイクロ波アクセス用世界規模相互運用性（ＷｉＭＡＸ））、ＣＤＭＡ２０００、ＣＤＭＡ２０００  １Ｘ、ＣＤＭＡ２０００  ＥＶ−ＤＯ、暫定標準２０００（ＩＳ−２０００）、暫定標準９５（ＩＳ−９５）、暫定標準８５６（ＩＳ−８５６）、移動体通信用グローバルシステム（ＧＳＭ（登録商標））、ＧＳＭ進化型高速データレート（ＥＤＧＥ）、ＧＳＭ  ＥＤＧＥ（ＧＥＲＡＮ）などの無線技術を実施することができる。
【００１８】
図１Ａの基地局１１４ｂは、例えば無線ルータ、ホームノードＢ、ホームｅノードＢ、またはアクセスポイントとすることができ、事業所、自宅、乗り物、キャンパスなどの局在したエリア内の無線接続性を容易にするための任意の適切なＲＡＴを利用することができる。一実施形態において基地局１１４ｂおよびＷＴＲＵ１０２ｃ、１０２ｄは、ＩＥＥＥ  ８０２．１１などの無線技術を実施して、無線ローカルエリアネットワーク（ＷＬＡＮ）を確立することができる。他の実施形態において基地局１１４ｂおよびＷＴＲＵ１０２ｃ、１０２ｄは、ＩＥＥＥ  ８０２．１５などの無線技術を実施して、無線パーソナルエリアネットワーク（ＷＰＡＮ）を確立することができる。他の実施形態において基地局１１４ｂおよびＷＴＲＵ１０２ｃ、１０２ｄは、セルラベースのＲＡＴ（例えばＷＣＤＭＡ、ＣＤＭＡ２０００、ＧＳＭ、ＬＴＥ、ＬＴＥ−Ａなど）を利用して、ピコセルまたはフェムトセルを確立することができる。図１Ａに示されるように基地局１１４ｂは、インターネット１１０への直接接続を有することができる。従って基地局１１４ｂは、コアネットワーク１０６を通じてインターネット１１０にアクセスすることが不要となり得る。
【００１９】
ＲＡＮ１０４はコアネットワーク１０６と通信することができ、これは音声、データ、アプリケーション、および／またはボイスオーバーインターネットプロトコル（ＶｏＩＰ）サービスをＷＴＲＵ１０２ａ、１０２ｂ、１０２ｃ、１０２ｄの１つまたは複数にもたらすように構成された、任意のタイプのネットワークとすることができる。例えばコアネットワーク１０６は、呼制御、料金請求サービス、移動体位置ベースのサービス、プリペイドコール、インターネット接続性、ビデオ配信などをもたらすことができ、および／またはユーザ認証などの高レベルセキュリティ機能を行うことができる。図１Ａに示されないがＲＡＮ１０４および／またはコアネットワーク１０６は、ＲＡＮ１０４と同じＲＡＴまたは異なるＲＡＴを使用する他のＲＡＮと、直接または間接に通信できることが理解されるべきである。例えば、Ｅ−ＵＴＲＡ無線技術を利用し得るＲＡＮ１０４に接続されることに加えて、コアネットワーク１０６は、ＧＳＭ無線技術を使用する他のＲＡＮ（図示せず）とも通信することができる。
【００２０】
コアネットワーク１０６はまた、ＷＴＲＵ１０２ａ、１０２ｂ、１０２ｃ、１０２ｄがＰＳＴＮ１０８、インターネット１１０、および／または他のネットワーク１１２にアクセスするためのゲートウェイとして働くことができる。ＰＳＴＮ１０８は、従来型電話サービス（plain old telephone service）（ＰＯＴＳ）をもたらす回線交換電話ネットワークを含むことができる。インターネット１１０は、ＴＣＰ／ＩＰインターネットプロトコル群における伝送制御プロトコル（ＴＣＰ）、ユーザデータグラムプロトコル（ＵＤＰ）、およびインターネットプロトコル（ＩＰ）などの共通通信プロトコルを用いる、相互接続されたコンピュータネットワークおよびデバイスの地球規模のシステムを含むことができる。ネットワーク１１２は、他のサービスプロバイダによって所有および／または運用される有線もしくは無線通信ネットワークを含むことができる。例えばネットワーク１１２は、ＲＡＮ１０４と同じＲＡＴまたは異なるＲＡＴを使用し得る１つまたは複数のＲＡＮに接続された、他のコアネットワークを含むことができる。
【００２１】
通信システム１００内のＷＴＲＵ１０２ａ、１０２ｂ、１０２ｃ、１０２ｄのいくつかまたはすべては、マルチモード能力を含むことができ、すなわちＷＴＲＵ１０２ａ、１０２ｂ、１０２ｃ、１０２ｄは、異なる無線リンクを通して異なる無線ネットワークと通信するための複数のトランシーバを含むことができる。例えば図１Ａに示されるＷＴＲＵ１０２ｃは、セルラベースの無線技術を使用し得る基地局１１４ａと、およびＩＥＥＥ  ８０２無線技術を使用し得る基地局１１４ｂと通信するように構成され得る。
【００２２】
図１Ｂは、例示的無線送信／受信ユニットＷＴＲＵ１０２を示す。ＷＴＲＵ１０２は、本明細書で述べられる通信システムの１つまたは複数において用いられ得る。図１Ｂに示されるようにＷＴＲＵ１０２は、プロセッサ１１８、トランシーバ１２０、送信／受信要素１２２、スピーカ／マイクロフォン１２４、キーパッド１２６、ディスプレイ／タッチパッド１２８、非リムーバブルメモリ１３０、リムーバブルメモリ１３２、電源１３４、全地球測位システム（ＧＰＳ）チップセット１３６、および他の周辺装置１３８を含むことができる。ＷＴＲＵ１０２は実施形態と一致したままで、上記の要素の任意のサブコンビネーションを含み得ることが理解されるべきである。
【００２３】
プロセッサ１１８は、汎用プロセッサ、専用プロセッサ、従来型プロセッサ、デジタル信号プロセッサ（ＤＳＰ）、複数のマイクロプロセッサ、ＤＳＰコアに関連した１つまたは複数のマイクロプロセッサ、コントローラ、マイクロコントローラ、特定用途向け集積回路（ＡＳＩＣ）、フィールドプログラマブルゲートアレイ（ＦＰＧＡ）回路、任意の他のタイプの集積回路（ＩＣ）、状態機械などとすることができる。プロセッサ１１８は、信号符号化、データ処理、電力制御、入力／出力処理、および／またはＷＴＲＵ１０２が無線環境において動作することを可能にする任意の他の機能を行うことができる。プロセッサ１１８はトランシーバ１２０に結合されることができ、これは送信／受信要素１２２に結合され得る。図１Ｂはプロセッサ１１８およびトランシーバ１２０を別々の構成要素として示すが、プロセッサ１１８およびトランシーバ１２０は、電子回路パッケージまたはチップ内に一緒に一体化され得ることが理解されるべきである。
【００２４】
送信／受信要素１２２は、エアインターフェース１１６を通して基地局（例えば基地局１１４ａ）に信号を送信し、またはそれから信号を受信するように構成され得る。例えば一実施形態において送信／受信要素１２２は、ＲＦ信号を送信および／または受信するように構成されたアンテナとすることができる。他の実施形態において送信／受信要素１２２は、例えばＩＲ、ＵＶ、または可視光信号を送信および／または受信するように構成された放射器／検出器とすることができる。他の実施形態では送信／受信要素１２２は、ＲＦおよび光信号の両方を送信および受信するように構成され得る。送信／受信要素１２２は、無線信号の任意の組み合わせを送信および／または受信するように構成され得ることが理解されるべきである。
【００２５】
さらに図１Ｂでは送信／受信要素１２２は単一の要素として示されるが、ＷＴＲＵ１０２は任意の数の送信／受信要素１２２を含むことができる。より具体的にはＷＴＲＵ１０２は、ＭＩＭＯ技術を使用することができる。従って一実施形態においてＷＴＲＵ１０２は、エアインターフェース１１６を通して無線信号を送信および受信するための、２つ以上の送信／受信要素１２２（例えば複数のアンテナ）を含むことができる。
【００２６】
トランシーバ１２０は、送信／受信要素１２２によって送信されることになる信号を変調するように、および送信／受信要素１２２によって受信される信号を復調するように構成され得る。上記のようにＷＴＲＵ１０２はマルチモード能力を有することができる。従ってトランシーバ１２０は、ＷＴＲＵ１０２が例えばＵＴＲＡおよびＩＥＥＥ  ８０２．１１などの複数のＲＡＴを通じて通信することを可能にするための複数のトランシーバを含むことができる。
【００２７】
ＷＴＲＵ１０２のプロセッサ１１８は、スピーカ／マイクロフォン１２４、キーパッド１２６、および／またはディスプレイ／タッチパッド１２８（例えば液晶表示（ＬＣＤ）ディスプレイユニット、または有機発光ダイオード（ＯＬＥＤ）ディスプレイユニット）に結合されることができ、それらからユーザ入力データを受け取ることができる。プロセッサ１１８はまたユーザデータを、スピーカ／マイクロフォン１２４、キーパッド１２６、および／またはディスプレイ／タッチパッド１２８に出力することができる。さらにプロセッサ１１８は、非リムーバブルメモリ１３０および／またはリムーバブルメモリ１３２などの任意のタイプの適切なメモリからの情報にアクセスし、それにデータを記憶することができる。非リムーバブルメモリ１３０は、ランダムアクセスメモリ（ＲＡＭ）、読み出し専用メモリ（ＲＯＭ）、ハードディスク、または任意の他のタイプのメモリ記憶デバイスを含み得る。リムーバブルメモリ１３２は、加入者識別モジュール（ＳＩＭ）カード、メモリスティック、セキュアデジタル（ＳＤ）メモリカードなどを含み得る。他の実施形態においてプロセッサ１１８は、サーバまたはホームコンピュータ（図示せず）上など、ＷＴＲＵ１０２上に物理的に位置しないメモリからの情報にアクセスし、それにデータを記憶することができる。
【００２８】
プロセッサ１１８は、電源１３４から電力を受け取ることができ、ＷＴＲＵ１０２内の他の構成要素に対する電力を分配および／または制御するように構成され得る。電源１３４は、ＷＴＲＵ１０２に電力供給するための任意の適切なデバイスとすることができる。例えば電源１３４は、１つまたは複数の乾電池（例えばニッケルカドミウム（ＮｉＣｄ）、ニッケル亜鉛（ＮｉＺｎ）、ニッケル水素（ＮｉＭＨ）、リチウムイオン（Ｌｉイオン）など）、太陽電池、燃料電池などを含み得る。
【００２９】
プロセッサ１１８はまたＧＰＳチップセット１３６に結合されることができ、これはＷＴＲＵ１０２の現在位置に関する位置情報（例えば経度および緯度）をもたらすように構成され得る。ＧＰＳチップセット１３６からの情報に加えてまたはその代わりに、ＷＴＲＵ１０２はエアインターフェース１１６を通して、基地局（例えば基地局１１４ａ、１１４ｂ）から位置情報を受信することができ、および／または２つ以上の近くの基地局から受信される信号のタイミングに基づいてその位置を決定することができる。ＷＴＲＵ１０２は、実施形態と一致したままで、任意の適切な位置決定方法によって位置情報を取得できることが理解されるべきである。
【００３０】
プロセッサ１１８は、さらなる特徴、機能、および／または有線もしくは無線接続性をもたらす１つまたは複数のソフトウェアおよび／またはハードウェアモジュールを含み得る他の周辺装置１３８にさらに結合され得る。例えば周辺装置１３８は加速度計、電子コンパス、衛星トランシーバ、デジタルカメラ（写真またはビデオ用）、ユニバーサルシリアルバス（ＵＳＢ）ポート、振動デバイス、テレビ送受信機、ハンズフリーヘッドセット、ブルートゥース（登録商標）モジュール、周波数変調（ＦＭ）ラジオユニット、デジタル音楽プレーヤ、メディアプレーヤ、ビデオゲームプレーヤモジュール、インターネットブラウザなどを含むことができる。
【００３１】
図１Ｃは、例示的無線ローカルエリアネットワーク（ＷＬＡＮ）デバイスを示す。デバイスの１つまたは複数は、本明細書で述べられる特徴の１つまたは複数を実施するために用いられ得る。ＷＬＡＮは、アクセスポイント（ＡＰ）２０２、ステーション（ＳＴＡ）２１０、およびＳＴＡ２１２を含み得るがそれらに限定されない。ＳＴＡ２１０および２１２は、ＡＰ２０２に関連付けられ得る。ＷＬＡＮは、ＤＳＳＳ、ＯＦＤＭ、ＯＦＤＭＡなどのチャネルアクセス方式を含み得るＩＥＥＥ  ８０２．１１通信標準の、１つまたは複数のプロトコルを実施するように構成され得る。ＷＬＡＮはあるモード、例えばインフラストラクチャモード、アドホックモードなどにおいて動作し得る。
【００３２】
インフラストラクチャモードで動作するＷＬＡＮは、１つまたは複数の関連付けられたＳＴＡと通信する１つまたは複数のＡＰを備え得る。ＡＰ、およびＡＰに関連付けられたＳＴＡは、基本サービスセット（ＢＳＳ）を備え得る。例えばＡＰ２０２、ＳＴＡ２１０、およびＳＴＡ２１２は、ＢＳＳ２２２を備え得る。拡張サービスセット（ＥＳＳ）は、１つまたは複数のＡＰ（１つまたは複数のＢＳＳを有する）、およびＡＰに関連付けられたＳＴＡを備え得る。ＡＰは分配システム（ＤＳ）２１６へのアクセスおよび／またはそれへのインターフェースを有することができ、これは有線および／または無線とすることができ、ＡＰへのおよび／またはそれからのトラフィックを運ぶことができる。ＷＬＡＮの外部から生じたＷＬＡＮ内のＳＴＡへのトラフィックはＷＬＡＮ内のＡＰにおいて受信されることができ、それはＷＬＡＮ内のＳＴＡにトラフィックを送ることができる。ＷＬＡＮ内のＳＴＡから生じたＷＬＡＮの外部の宛先、例えばサーバ２１８へのトラフィックはＷＬＡＮ内のＡＰに送られることができ、それはトラフィックを宛先に、例えばＤＳ２１６を経由してサーバ２１８に送られるようにネットワーク２１４に送ることができる。ＷＬＡＮ内のＳＴＡ間のトラフィックは、１つまたは複数のＡＰを通して送られ得る。例えば送信元ＳＴＡ（例えばＳＴＡ１１０）は、宛先ＳＴＡ（例えばＳＴＡ２１２）を対象としたトラフィックを有し得る。ＳＴＡ２１０はトラフィックをＡＰ２０２に送ることができ、ＡＰ２０２はトラフィックをＳＴＡ２１２に送ることができる。
【００３３】
ＷＬＡＮはアドホックモードで動作することができる。アドホックモードＷＬＡＮは、独立基本サービスセット（ＩＢＢＳ）と呼ばれ得る。アドホックモードＷＬＡＮにおいてＳＴＡは、互いに直接通信することができる（例えばＳＴＡ２１０はＳＴＡ２１２との通信を、このような通信がＡＰを通して経路指定されることなく行うことができる）。
【００３４】
ＩＥＥＥ  ８０２．１１デバイス（例えばＢＳＳ内のＩＥＥＥ  ８０２．１１  ＡＰ）は、ビーコンフレームを用いてＷＬＡＮネットワークの存在をアナウンスすることができる。ＡＰ２０２などのＡＰはチャネル、例えばプライマリチャネルなどの固定チャネル上にビーコンを送信することができる。ＳＴＡは、プライマリチャネルなどのチャネルを用いてＡＰとの接続を確立することができる。
【００３５】
ＳＴＡおよび／またはＡＰは、キャリア検知多重アクセス／衝突回避（ＣＳＭＡ／ＣＡ）チャネルアクセス機構を用いることができる。ＣＳＭＡ／ＣＡにおいて、ＳＴＡおよび／またはＡＰは、プライマリチャネルを検知することができる。例えばＳＴＡが送るためのデータを有する場合、ＳＴＡはプライマリチャネルを検知することができる。プライマリチャネルがビジーであることが検出された場合、ＳＴＡはバックオフすることができる。例えばＷＬＡＮまたはその一部分は、例えば所与のＢＳＳ内で、所与の時点において１つのＳＴＡが送信することができるように構成され得る。チャネルアクセスは、ＲＴＳおよび／またはＣＴＳシグナリングを含み得る。例えば送信要求（ＲＴＳ）フレームの交換は送出デバイスによって送信されることができ、および送信可（ＣＴＳ）フレームは受信デバイスによって送られ得る。例えばＡＰがＳＴＡに送るためのデータを有する場合、ＡＰはＲＴＳフレームをＳＴＡに送ることができる。ＳＴＡがデータを受信する準備が整った場合、ＳＴＡはＣＴＳフレームによって応答し得る。ＣＴＳフレームは、ＲＴＳを開始したＡＰがそれのデータを送信し得る間、メディアにアクセスするのを見合わせるように他のＳＴＡに警告し得る時間値を含むことができる。ＳＴＡからＣＴＳフレームを受信するとすぐに、ＡＰはデータをＳＴＡに送ることができる。
【００３６】
デバイスは、ネットワーク割り振りベクトル（ＮＡＶ）フィールドを通じて、スペクトルを予約することができる。例えばＩＥＥＥ  ８０２．１１フレームでは、期間の間、チャネルを予約するためにＮＡＶフィールドが用いられ得る。データを送信したいＳＴＡはＮＡＶを、それがチャネルを使用することを想定し得る時間に、設定することができる。ＳＴＡがＮＡＶを設定するときＮＡＶは、関連付けられたＷＬＡＮまたはそのサブセット（例えばＢＳＳ）に対して設定され得る。他のＳＴＡは、ＮＡＶをゼロまでカウントダウンすることができる。カウンタがゼロの値に達したときＮＡＶ機能は、今はチャネルが使用可能であることを他のＳＴＡに示すことができる。
【００３７】
ＡＰまたはＳＴＡなどのＷＬＡＮ内のデバイスは以下の１つまたは複数を含み得る：プロセッサ、メモリ、無線受信器および／または送信器（例えばこれはトランシーバにおいて組み合わされ得る）、１つまたは複数のアンテナ（例えば図１Ｃのアンテナ２０６）など。プロセッサ機能は１つまたは複数のプロセッサを備え得る。例えばプロセッサは以下の１つまたは複数を備え得る：汎用プロセッサ、専用プロセッサ（例えばベースバンドプロセッサ、ＭＡＣプロセッサなど）、デジタル信号プロセッサ（ＤＳＰ）、特定用途向け集積回路（ＡＳＩＣ）、フィールドプログラマブルゲートアレイ（ＦＰＧＡ）回路、任意の他のタイプの集積回路（ＩＣ）、状態機械など。１つまたは複数のプロセッサは、互いに統合されても統合されなくてもよい。プロセッサ（例えば１つまたは複数のプロセッサまたはそのサブセット）は、１つまたは複数の他の機能（例えばメモリなどの他の機能）と統合され得る。プロセッサは、信号符号化、データ処理、電力制御、入力／出力処理、変調、復調、および／または図１ＣのＷＬＡＮなどの無線環境においてデバイスが動作することを可能にする任意の他の機能を行うことができる。プロセッサは、例えばソフトウェアおよび／またはファームウェア命令を含む、プロセッサ実行可能コード（例えば命令）を実行するように構成され得る。例えばプロセッサは、プロセッサ（例えばメモリおよびプロセッサを含んだチップセット）またはメモリの、１つまたは複数上に含まれたコンピュータ可読命令を実行するように構成され得る。命令の実行はデバイスに、本明細書で述べられる機能の１つまたは複数を行わせ得る。
【００３８】
デバイスは１つまたは複数のアンテナを含み得る。デバイスは多入力多出力（ＭＩＭＯ）技法を使用し得る。１つまたは複数のアンテナは、無線信号を受信することができる。プロセッサは、例えば１つまたは複数のアンテナを通じて無線信号を受信することができる。１つまたは複数のアンテナは、無線信号を送信することができる（例えばプロセッサから送られた信号に基づいて）。
【００３９】
デバイスは、プロセッサ実行可能コードまたは命令（例えばソフトウェア、ファームウェアなど）、電子データ、データベース、または他のデジタル情報などの、プログラミングおよび／またはデータを記憶するための１つまたは複数のデバイスを含み得るメモリを有することができる。メモリは１つまたは複数のメモリユニットを含み得る。１つまたは複数のメモリユニットは、１つまたは複数の他の機能（例えば、プロセッサなどのデバイスに含まれる他の機能）と統合され得る。メモリは、読み出し専用メモリ（ＲＯＭ）（例えば消去可能プログラマブル読み出し専用メモリ（ＥＰＲＯＭ）、電気的消去可能プログラマブル読み出し専用メモリ（ＥＥＰＲＯＭ）など）、ランダムアクセスメモリ（ＲＡＭ）、磁気ディスク記憶媒体、光記憶媒体、フラッシュメモリデバイス、および／または情報を記憶するための他の非一時的コンピュータ可読媒体を含み得る。メモリはプロセッサに結合され得る。プロセッサは、例えばシステムバスを通じてまたは直接になど、メモリの１つまたは複数のエンティティと通信することができる。
【００４０】
ＷＬＡＮは、インフラストラクチャ基本サービスセット（ＢＳＳ）モードおよび独立ＢＳＳ（ＩＢＳＳ）モードなどの複数の動作モードを有し得る。インフラストラクチャＢＳＳモードでのＷＬＡＮは、ＢＳＳのためのＡＰを有し得る。１つまたは複数のＳＴＡ（例えばＷＴＲＵ）がＡＰに関連付けられ得る。ＡＰは、分配システム（ＤＳ）、またはＢＳＳ内へのまたはそれからのトラフィックを運ぶ他のタイプの有線／無線ネットワークへの、アクセスまたはインターフェースを有することができる。ＢＳＳの外部から生じるＳＴＡへのトラフィックはＡＰを通して到着することができ、ＡＰはトラフィックをＳＴＡに届ける。ＳＴＡから生じる、ＢＳＳの外部の宛先へのトラフィックは、ＡＰに送られることができ、ＡＰはトラフィックをそれぞれの宛先に届ける。ＢＳＳ内のＳＴＡ間のトラフィックはＡＰを通して、例えば送信元ＳＴＡからＡＰに、およびＡＰから宛先ＳＴＡに送られ得る。ＢＳＳ内のＳＴＡ間のトラフィックは、ピアツーピアトラフィックとすることができる。ピアツーピアトラフィックは、例えば８０２．１１ｅ  ＤＬＳまたは８０２．１１ｚトンネルＤＬＳ（ＴＤＬＳ）を用いた直接リンクセットアップ（ＤＬＳ）によって、送信元と宛先ＳＴＡとの間で直接送られ得る。独立ＢＳＳ（ＩＢＳＳ）モードでのＷＬＡＮはＡＰをもたなくてもよく、ＳＴＡは互いに直接通信することができる。ＩＢＳＳ通信モードは、「アドホック」通信モードと呼ばれ得る。
【００４１】
ＡＰは、例えば８０２．１１ａｃインフラストラクチャ動作モードでの固定チャネル（例えばプライマリチャネル）上に、ビーコンを送信することができる。チャネルは例えば２０ＭＨｚ幅とすることができる。チャネルは、ＢＳＳの動作チャネルとすることができる。チャネルは、例えばＡＰとの接続を確立するためにＳＴＡによって用いられ得る。８０２．１１システムにおける例示のチャネルアクセス機構は、キャリア検知多重アクセス／衝突回避（ＣＳＭＡ／ＣＡ）とすることができる。ＡＰを含み、ＳＴＡは例えばＣＳＭＡ／ＣＡ動作モードにおいてプライマリチャネルを検知することができる。ＳＴＡは、例えば所与のＢＳＳ内で一時に１つのＳＴＡが送信することを可能にするように、チャネルがビジーであることが検出されたときは、チャネルからバックオフすることができる。
【００４２】
高スループット（ＨＴ）ＳＴＡは、例えば通信のために４０ＭＨｚ幅のチャネルを用いることができる（例えば８０２．１１ｎにおいて）。プライマリ２０ＭＨｚチャネルは、隣接した２０ＭＨｚチャネルと組み合わされて、４０ＭＨｚ幅の連続したチャネルを形成することができる。
【００４３】
超高スループット（ＶＨＴ）ＳＴＡは、例えば２０ＭＨｚ、４０ＭＨｚ、８０ＭＨｚ、および１６０ＭＨｚ幅のチャネルをサポートすることができる（例えば８０２．１１ａｃにおいて）。４０ＭＨｚおよび８０ＭＨｚチャネルは、例えば連続した２０ＭＨｚチャネルを組み合わることによって形成され得る。１６０ＭＨｚチャネルは、例えば８つの連続した２０ＭＨｚチャネルを組み合わせることによって、または８０＋８０構成と呼ばれ得る２つの連続しない８０ＭＨｚチャネルを組み合わせることによって形成され得る。８０＋８０構成は、例えばチャネルエンコーディングの後、データを２つのストリームに分割するセグメントパーサに通過され得る。逆高速フーリエ変換（ＩＦＦＴ）および時間領域処理は、例えば各ストリームに対して別々に行われ得る。ストリームは２つのチャネル上にマッピングされ得る。データは２つのチャネル上に送信され得る。受信器は、送信器機構を逆にすることができる。受信器は、複数のチャネル上に送信されたデータ再結合することができる。再結合されたデータは、メディアアクセス制御（ＭＡＣ）に送られ得る。
【００４４】
サブＧＨｚ（例えばＭＨｚ）動作モードは、例えば８０２．１１ａｆおよび８０２．１１ａｈによってサポートされ得る。チャネル動作帯域幅およびキャリアは、例えば８０２．１１ｎおよび８０２．１１ａｃにおいて用いられる帯域幅およびキャリアに比べて低減され得る。８０２．１１ａｆは、例えばＴＶホワイトスペース（ＴＶＷＳ）スペクトル内の５ＭＨｚ、１０ＭＨｚ、および２０ＭＨｚ帯域幅をサポートすることができる。８０２．１１ａｈは、例えば非ＴＶＷＳスペクトル内の１ＭＨｚ、２ＭＨｚ、４ＭＨｚ、８ＭＨｚ、および１６ＭＨｚ帯域幅をサポートすることができる。８０２．１１ａｈに対するユースケースの例は、マクロカバレージエリア内のメータタイプ制御（ＭＴＣ）デバイスに対するサポートとすることができる。ＭＴＣデバイスは、制限された能力（例えば制限された帯域幅）を有することができ、長い電池寿命を有するように設計され得る。
【００４５】
ＷＬＡＮシステム（例えば８０２．１１ｎ、８０２．１１ａｃ、８０２．１１ａｆ、および８０２．１１ａｈシステム）は、プライマリチャネルとして指定されるチャネルなど、複数のチャネルおよびチャネル幅をサポートすることができる。プライマリチャネルは、例えばＢＳＳ内のＳＴＡによってサポートされる最も大きな共通動作帯域幅に等しい帯域幅を有することができる。プライマリチャネルの帯域幅は、最小の帯域幅動作モードをサポートするＳＴＡによって制限され得る。８０２．１１ａｈの例においてプライマリチャネルは、例えば１つまたは複数のＳＴＡ（例えばＭＴＣタイプデバイス）が１ＭＨｚモードをサポートし、一方、ＡＰおよび他のＳＴＡが、２ＭＨｚ、４ＭＨｚ、８ＭＨｚ、１６ＭＨｚ、または他のチャネル帯域幅動作モードをサポートするとき、１ＭＨｚ幅とすることができる。キャリア検知およびＮＡＶ設定は、プライマリチャネルのステータスに依存し得る。例としてプライマリチャネルがビジーステータスを有するとき（例えば１ＭＨｚ動作モードのみをサポートするＳＴＡがプライマリチャネル上でＡＰに送信しているため）、帯域のいくつかがアイドルおよび／または使用可能であるにも関わらず、すべての使用可能な周波数帯域はビジーであると見なされ得る。
【００４６】
使用可能な周波数帯域は、異なる領域の間で変わり得る。例えば８０２．１１ａｈによって用いられる使用可能な周波数帯域は、米国において９０２ＭＨｚから９２８ＭＨｚ、韓国において９１７．５ＭＨｚから９２３．５ＭＨｚ、および日本において９１６．５ＭＨｚから９２７．５ＭＨｚとなり得る。使用可能な総帯域幅は、異なる領域の間で変わり得る。例として、８０２．１１ａｈのために使用可能な総帯域幅は、国コードに応じて６ＭＨｚから２６ＭＨｚとなり得る。
【００４７】
ＩＥＥＥ  ８０２．１１（商標）高効率ＷＬＡＮ（ＨＥＷ）は、２．４ＧＨｚおよび５ＧＨｚ帯域におけるＡＰおよびＳＴＡの高密度デプロイメントなど、多くの使用シナリオにおける無線ユーザによって経験されるサービス品質（ＱｏＳ）を向上することができる。ＨＥＷ無線リソース管理（ＲＲＭ）技術は、スタジアムイベントのためのデータ配信、鉄道駅または企業／小売店環境などの高ユーザ密度シナリオ、医療用途のためのビデオ配信および無線サービスなどの、多様なアプリケーションまたは使用シナリオをサポートし得る。ＨＥＷは、例えばＩＥＥＥ  ８０２．１１ａｘにおいて実施され得る。
【００４８】
ネットワークアプリケーションによって生成され得るショートパケットは、仮想オフィス、ＴＰＣ肯定応答（ＡＣＫ）、ビデオストリーミングＡＣＫ、デバイス／コントローラ（例えばマウス、キーボード、ゲームコントロール）、アクセス（例えばプローブ要求／応答）、ネットワーク選択（例えばプローブ要求、アクセスネットワーククエリプロトコル（ＡＮＱＰ））、およびネットワーク管理（例えば制御フレーム）などの多様なアプリケーションにおいて適用可能となり得る。
【００４９】
アップリンク（ＵＬ）およびダウンリンク（ＤＬ）直交周波数分割多元接続（ＯＦＤＭＡ）、ならびにＵＬおよびＤＬ  ＭＵ−ＭＩＭＯなどのＭＵ機能が実施され得る。ＯＦＤＭＡはチャネル選択性を活用して、例えば高密度ネットワーク条件における周波数選択的多重化利得を改善または最大化することができる。例えば高速リンク適応、周波数選択的スケジューリング、およびリソースユニットベースのフィードバックを可能にするために、フィードバックのための機構が設計および定義され得る。
【００５０】
範囲拡大モードが実施され得る。従来の範囲拡大モードは、シングルユーザ（ＳＵ）範囲拡大モードとすることができる。このような範囲拡大モードは、例えば受信器が大きな経路損失および／またはチャネル遅延広がりを経験し得る１つまたは複数の送信のために用いられ得る（例えば戸外のホットスポットなどで）。
【００５１】
図２は、範囲拡大モードおよび通常モードのための例示のプリアンブルを示す。両方のモードにおいてプリアンブルは、高効率ＳＩＧ−Ａ（ＨＥ−ＳＩＧ−Ａ）フィールドを含み得る。範囲拡大モードにおいてプリアンブルは、以下の１つまたは複数によって特徴付けられ得る。ＨＥ−ＳＩＧ−Ａフィールドは、時間的に反復され得る（例えばＨＥ−ＳＩＧ−Ａ１’およびＨＥ−ＳＩＧ−Ａ２’として示される）。ビットインターリーバは、１つまたは複数の反復されたＨＥ−ＳＩＧ−Ａシンボルではバイパスされ得る。範囲拡大モードのイネーブル化が示され得る（例えばプリアンブルにおいて、またはプリアンブルのフォーマットによって）。例えば範囲拡大モードは、ＨＥ−ＳＩＧ−Ａフィールドの前に示され得る。範囲拡大モードは、レガシー信号（Ｌ−ＳＩＧ）フィールドの長さを特定の値に設定することによって（例えばＬ−ＳＩＧ長さ  ｍｏｄ  ２＝２）、および／またはＱＢＰＳＫシンボルを用いてＨＥ−ＳＩＧ−Ａ１’フィールドを送信することによって（例えば図３に示されるように）示され得る。非高スループット（ＨＴ）レガシーショートトレーニングフィールド（Ｌ−ＳＴＦ）および／または非ＨＴレガシーロングトレーニングフィールド（Ｌ−ＬＴＦ）フィールドは、電力ブーストされる（例えば３ｄＢだけ）。
【００５２】
図３は変調を用いた例示の範囲拡大モードを示し、シングルユーザ範囲拡大モードは、ＱＢＰＳＫを用いてＨＥ−ＳＩＧ−Ａ２’フィールドを送信することによって示される。
【００５３】
ＡＰは、範囲拡大モードを用いることを決定することができる。ＡＰはネットワークデプロイメントおよび／またはチャネル測定を用いて、範囲拡大モードを用いるかどうかを決定することができる。ＡＰは２つ以上のＢＳＳをサポートすることができる。例えば複数ＢＳＳ識別子（ＢＳＳＩＤ）能力は、ＡＰによる２つ以上のＢＳＳ（例えば仮想ＢＳＳ）のサポートを可能にし得る。複数のＢＳＳＩＤに対する情報は告知され得る。複数のＢＳＳＩＤに対する情報は、ビーコンフレームおよび／またはプローブ応答フレーム（例えば単一のビーコンフレームおよび／または単一のプローブ応答フレーム）を用いて告知され得る。
【００５４】
図４は、複数のＢＳＳＩＤのための例示のビーコンフレームを示す。複数のＢＳＳＩＤ（例えば物理ＢＳＳ内の複数の仮想ＢＳＳＩＤ）が構成されるかどうか、および／または構成されるＢＳＳＩＤの数を示すために、ビーコンフレーム内でフィールド（例えばＭａｘＢＳＳＩＤインジケータ）が指定され得る。２つ以上の仮想ＢＳＳが、ＡＰ内の同じまたは異なる無線機に結び付けられ得る。ＡＰは、ＵＬマルチユーザ（ＭＵ）送信および／またはランダムアクセスのために仮想ＢＳＳに関連付けられた１つまたは複数のＳＴＡをトリガすることができる。ＡＰは、ＵＬ  ＭＵ送信および／またはランダムアクセスのために２つ以上の仮想ＢＳＳに関連付けられた１つまたは複数のＳＴＡをトリガすることができる。
【００５５】
高密度ネットワークにおいて、ＢＳＳカラーおよび／または空間再利用がもたらされ得る。ＳＴＡはフレームを検出し、検出されたフレームがＢＳＳ間／重複またはＢＳＳ内フレームであるかどうかを決定することができる。ＳＴＡは、ＢＳＳカラーおよび／またはＭＡＣヘッダ内のＭＡＣアドレスを用いて、検出されたフレームがＢＳＳ間／重複またはＢＳＳ内フレームであるかを決定することができる。１つまたは複数のプリアンブル検出（ＰＤ）エネルギーレベルは、異なる値に設定され得る（例えば空間再利用を改善するために）。１つまたは複数のＰＤエネルギーレベルは、検出されたフレームがＢＳＳ内（ＢＳＳ  ＰＤ）またはＢＳＳ重複フレーム（ＯＢＳＳ  ＰＤ）であるかに基づいて設定され得る。高効率（ＨＥ）ＳＴＡは、ＢＳＳ内フレームおよび／またはＯＢＳＳフレームによって設定された１つまたは複数のＮＡＶを識別するおよび／または覚えておくことができる。ｃｏｎｔｅｎｔｉｏｎ  ｆｒｅｅ（ＣＦ）−ｅｎｄフレーム（例えばＢＳＳ内から）は、ＯＢＳＳフレームによって設定されたＮＡＶをリセットすることはできない。ＨＥ  ＳＴＡは、どのＢＳＳがフレームの発信元であるかを決定することができる。例えばＨＥ  ＳＴＡは、ＢＳＳカラーを用いてどのＢＳＳがフレームの発信元であるかを決定することができる。
【００５６】
ＳＴＡ（例えばＨＥ  ＳＴＡ）は、ＢＳＳ内送信を識別することができる。ＳＴＡは、ＢＳＳカラーを用いてＢＳＳ内送信を識別することができる。ＳＴＡは省電力モードに入ることができる（例えば送信がＳＴＡを対象としていない場合）。省電力モードはドーズ状態を備えることができる。ＨＥ非ＡＰ  ＳＴＡはドーズ状態に入ることができる。ＨＥ非ＡＰ  ＳＴＡは、ＨＥ  ＤＬ  ＭＵ  ＰＰＤＵの終わりまでドーズ状態のままとなり得る。ＨＥ非ＡＰ  ＳＴＡは、ＰＰＤＵのＢＳＳカラーフィールドがそれのＢＳＳのＢＳＳカラーに等しい場合、および／またはＨＥ−ＳＩＧ−Ｂフィールド内のＳＴＡの識別子から導出された値がＨＥ非ＡＰ  ＳＴＡの識別子またはブロードキャスト／マルチキャスト識別子と一致しない場合、ドーズ状態に入るおよび／またはＨＥ  ＤＬ  ＭＵ  ＰＰＤＵの終わりまでドーズ状態のままとなり得る。ＨＥ非ＡＰ  ＳＴＡは、ＰＰＤＵのＢＳＳカラーフィールドがＨＥ非ＡＰ  ＳＴＡ  ＢＳＳのＢＳＳカラーに等しい場合、ドーズ状態に入るおよび／またはＨＥ  ＵＬ  ＭＵ  ＰＰＤＵの終わりまでドーズ状態のままとなり得る。ＨＥ  ＳＴＡは、ＰＰＤＵのＢＳＳカラーフィールドがＨＥ  ＳＴＡ  ＢＳＳのＢＳＳカラーに等しい場合、および／またはＵＬ／ＤＬフラグフィールドがフレームはＵＬフレームであることを示す場合、ドーズ状態に入るおよび／またはＨＥ  ＳＵ  ＰＰＤＵの終わりまでドーズ状態のままとなり得る。
【００５７】
マルチユーザフレームのフラグメンテーションがもたらされ得る。フラグメンテーションは、マルチユーザ送信におけるリソースの効率的な使用を可能にすることができる。フラグメンテーションは、１つまたは複数のＳＴＡが全部のＭＳＤＵより低い細分性を有して割り振られたリソース内で送信することを可能にし得る。
【００５８】
図５は、マルチユーザフレームの例示のフラグメンテーションを示す。フラグメンテーション能力の１つまたは複数（例えば４つ）のレベルが用いられことができ、例えばＡＰと１つまたは複数のＳＴＡとの間で取り決められ得る。フラグメンテーションの１つまたは複数のレベルは、レベル０、レベル１、レベル２、および／またはレベル３を備え得る。レベル０は、フラグメンテーションに対するサポートを備えることができない。レベル１は、超高スループット（ＶＨＴ）ＭＡＣプロトコルデータユニット（ＭＰＤＵ）（例えば単一ＭＰＤＵ）におけるフラグメントに対するサポートを備え得る。レベル２は、集合化ＭＰＤＵ（Ａ−ＭＰＤＵ）におけるＭＳＤＵごとに１つのフラグメントに対するサポートを備え得る。レベル３は、Ａ−ＭＰＤＵごとにＭＳＤＵの複数のフラグメントをサポートし得る。
【００５９】
本明細書で述べられるようにＡＰは、ネットワーク構成および／または測定に基づいて、範囲拡大モードを用いることを決定することができる。範囲拡大モードにおいてＬ−ＳＴＦおよび／またはＬ−ＬＴＦブーストが行われるとき、エネルギーをベースとするクリアチャネル評価（ＣＣＡ）は不正確になり得る。例えばＬ−ＳＴＦ内で、および／またはＬ−ＬＴＦ内で測定されるエネルギーは、送信において用いられたエネルギーに等しくない場合がある。
【００６０】
図６Ａおよび６Ｂは、ＯＦＤＭ  ＰＨＹ仕様においてもたらされる物理層コンバージェンスプロトコル（ＰＬＣＰ）を用いた送信受信の例を示す。図７Ａおよび７Ｂは、ＰＬＣＰおよびＨＴ混合フォーマットを用いた送信受信の例を示す。ＰＭＤ＿ＲＳＳＩインジケーションは、ＰＨＹ＿ＣＣＡインジケーションを導出するために用いられ得る（例えばＯＦＤＭ  ＰＨＹ仕様に対するおよび／またはＨＴ混合フォーマットに対する）。ＰＭＤ＿ＲＳＳＩインジケーションはＳＴＦ（例えばレガシーＳＴＦ）から測定されることができ、これは送信において用いられたエネルギーに等しくない場合がある。エネルギー推定の精度を向上するために、チャネル内の実際の受信エネルギーが推定され得る。チャネル内の実際の受信エネルギーは、ＣＣＡの間、チャネル内のエネルギーを過大評価しないように決定され得る。
【００６１】
いくつかの状況において（例えばＳＴＡがそれの最大送信電力に近くなり得るおよび／またはそれを超え得る、およびＬＴＦを３ｄＢだけブーストするための十分なヘッドルームを有し得ないとき）、範囲拡大がイネーブルされる。範囲拡大は、シングルユーザ送信だけでなくマルチユーザ送信にも焦点を合わせ得る。範囲拡大は、１つまたは複数のＳＴＡに対して、または全体のＢＳＳに対してイネーブルされ得る。
【００６２】
物理ＡＰは、２つ以上の（例えば複数の）ＢＳＳをサポートすることができる。ＢＳＳは仮想ＢＳＳを備え得る。１つまたは複数のＢＳＳカラーがＢＳＳに対してもたらされ得る。ＢＳＳのそれぞれにはＢＳＳカラーが割り振られ得る。ＢＳＳカラーに基づいて、空間再利用を設定すること（例えばＮＡＶ設定および／または１つまたは複数のＣＦ−ＥＮＤリセット）、および／または省電力挙動を設定することは、信頼できない場合がある（例えば複数のＢＳＳの各ＢＳＳが異なるＢＳＳカラーに割り振られる場合）。ＢＳＳカラーは、複数のＢＳＳおよび／またはＳＴＡに対して決定され得る（例えば適切な空間再利用および／または省電力を可能にするために）。
【００６３】
ＡＰは、異なる取り決められたフラグメンテーションレベルを用いて、２つ以上のＳＴＡに送信することができる。２つ以上のＳＴＡは、異なるＳＴＡフラグメンテーション能力を備え得る。２つ以上のＳＴＡのそれぞれは、フラグメンテーション能力に基づいて割り振られたリソースを独立に復号することができる。ＡＰは２つ以上のＳＴＡからデータ受信することができ、および２つ以上のＳＴＡに対して１つまたは複数のフラグメンテーションレベルを取り決めることができる。
【００６４】
ＡＰと、それの関連付けられたＳＴＡとの間で、１つまたは複数の制御フレームが交換され得る（例えばマルチユーザ（ＭＵ）送信において）。ＭＵ  ＵＬ  ＰＰＤＵは、ＵＬ制御情報を備え得る（例えば１つまたは複数の制御フレームにおいて）。ＭＵ  ＵＬ  ＰＰＤＵは、複数のユーザからの複数のＭＡＣフレームを備え得る。ＭＡＣ制御フレーム（例えば完全なＭＡＣ制御フレーム）は、ＭＡＣヘッダおよびＭＡＣ本体を備え得る。完全なＭＡＣ制御フレームを用いて制限された制御情報を送ることは、非効率的となり得る。
【００６５】
範囲拡大モードは、ＡＰおよび／またはＳＴＡに対してイネーブルされ得る。範囲拡大モードはＳＴＡ固有とすることができる。例えば範囲拡大モードは特定のＳＴＡ、またはＳＴＡのグループに適用され得る（例えば同じグループに属する例えば２つ以上のＳＴＡ）。範囲拡大モードはＢＳＳ全体とすることができる。例えば範囲拡大モードは、ＢＳＳ内の特定のＳＴＡ（例えばすべてのＳＴＡ）に適用され得る。ＢＳＳ全体の範囲拡大においてＡＰは、ＢＳＳ内のＳＴＡ（例えばすべてのＳＴＡ）に、範囲拡大モードを用いて送信するように要求することができる。ＳＴＡ固有の範囲拡大においてＡＰは、範囲拡大モードを用いて第１のＳＴＡ、または１つまたは複数のＳＴＡの第１のグループと通信（例えばそれに送信および／またはそれから受信）することができ、通常モードを用いて第２のＳＴＡ、または１つまたは複数のＳＴＡの第２のグループと通信（例えばそれに送信および／またはそれから受信）することができる。
【００６６】
ＡＰは、範囲拡大モードをビーコンフレーム内でシグナリングすることができる（例えばＢＳＳ全体の範囲拡大を示すおよび／またはイネーブルするために）。シグナリングは、１つまたは複数のＳＴＡ（例えばＢＳＳ内のすべてのＳＴＡ）によって受信され得る。シグナリングは範囲拡大必須ビットを備えることができ、これは受信するＳＴＡに、範囲拡大モードを用いて送信するように示すことができる。シグナリングはグループｉｄフィールドを備えることによって、グループｉｄに関連付けられたＳＴＡに、範囲拡大モードに入るように示すことができる。シグナリングは個別のＳＴＡ識別子を含むことによって、識別子に関連付けられたＳＴＡに、範囲拡大モードに入るように示すことができる。ＡＰは、範囲拡大モードをシグナリングするための特定のビーコンフレームフォーマットを決定し、用いることができる。範囲拡大フレームフォーマットの検出は、受信するＳＴＡに、範囲拡大モードをイネーブルおよび／または使用するようにトリガすることができる（例えばＳＴＡは範囲拡大モードを用いて送信することができる）。
【００６７】
図８は、非ビーコンフレームを通じて範囲拡大を示す、イネーブルする、および／または使用する例を示す。技法は、例えばＳＴＡ固有の範囲拡大またはＢＳＳ全体の範囲拡大をイネーブルするために用いられ得る。ＳＴＡは要求フレーム（例えば図８のｘＲｅｑｕｅｓｔ）を、関連付けられたＡＰに送ることができる。要求フレームはＭＡＣフレームとすることができる。要求フレームは、プローブ要求、関連付け要求、および／または範囲拡大要求を備え得る。ＳＴＡは要求フレーム内にそれの送信電力（例えば図８のＴｘ電力）を示すことができる（例えばその結果ＡＰは、送信電力を送信チャネルの測定された電力と比較して経路損失を決定することができる）。ＳＴＡによって用いられる送信電力は、プリアンブル内に示され得る（例えばＨＥ−ＳＩＧ−Ａフィールドの一部として）。ＳＴＡによって用いられる送信電力は、ＨＥ−ＳＩＧ−Ｂフィールドの一部として示され得る。ＡＰは要求フレームの受信された電力を測定し、示された送信電力を受信された電力と比較し、およびＳＴＡに対して範囲拡大がイネーブルされるべきかどうかを決定することができる（例えば経路損失のインジケーションをもたらし得る送信電力と受信された電力との差に基づいて）。
【００６８】
ＡＰは、応答フレーム（例えば図８のｘＲｅｓｐｏｎｓｅ）をＳＴＡに送ることができる。応答フレームは、プローブ応答、関連付け応答、および／または範囲拡大応答フレームを備え得る。応答フレームは、ＳＴＡが範囲拡大モードをイネーブルするためのシグナリング（例えば命令）を含むことができる。シグナリングは、範囲拡大イネーブルビットを含み得る。シグナリングはＳＴＡに、範囲拡大モードを用いて送信するようにとの命令することができる。ＡＰは、範囲拡大モードを用いて応答フレームを送ることができる。範囲拡大モードの使用はＳＴＡに、ＳＴＡよる送信は範囲拡大モードを用いるべきであることを暗黙的に示すことができる。
【００６９】
ＡＰは、ＳＴＡに非要求型フレームを送ることができる（例えば最初に範囲拡大要求を受信せずに）。フレームは、ＳＴＡが範囲拡大モードでの送信に切り換えるべきであることを示すことができる。インジケーションは明示的とすることができる。例えばインジケーションは、非要求型フレーム内に含まれた範囲拡大イネーブルビットを通じて実施され得る。インジケーションは暗黙的とすることができる。例えばインジケーションは、範囲拡大モードを用いて非要求型フレームを送ることによってもたらされ得る。
【００７０】
本明細書で述べられる例示の技法はまた、ＢＳＳ全体の範囲拡大をイネーブルするため、または特定のＳＴＡ（例えば１つまたは複数のＳＴＡのグループ）に対して範囲拡大をイネーブルするために用いられ得る。例えばＢＳＳ内のＳＴＡ（例えばすべてのＳＴＡ）はそれぞれ範囲拡大要求を関連付けられたＡＰに送り、ＡＰから、ＳＴＡが範囲拡大モードに切り換えることを許容するまたは命令するシグナリングを受信することができる。シグナリングは、例えば範囲拡大イネーブルビットを応答フレームに含めることによって明示的とする、または例えば範囲拡大モードを用いて応答フレームを送ることによって暗黙的とすることができる。ＡＰは、非要求型（例えば要求フレームを受信せずに）命令を（例えばフレームを通じて）ＢＳＳ内のＳＴＡ（例えばすべてのＳＴＡ）に送って、これらのＳＴＡを範囲拡大モードに切り換えることができる。非要求型命令は、範囲拡大イネーブルビットを含むことができ、または範囲拡大モードを用いて送られることによって、受信するＳＴＡに範囲拡大モードを用いて送信するように暗黙的に指示することができる。非要求型命令はビーコンフレーム内で送られ得る。命令は、グループｉｄフィールド（例えばグループｉｄに関連付けられたＳＴＡに、それらは範囲拡大モードに入るべきであることを示すために）、および／または個別のＳＴＡ識別子（例えば個別の識別子に関連付けられたＳＴＡに、それらは範囲拡大モードに入るべきであることを示すために）を含むことができる。このような場合ビーコンフレームは複数のＳＴＡによって受信され得るが、範囲拡大モードに切り換わるＳＴＡは、一致するグループｉｄを有するＳＴＡに限定され得る。
【００７１】
ＡＰは、どのＳＴＡが範囲拡大モードに切り換わるべきかを決定することができる。ＡＰは範囲拡大発見を行うことができる。範囲拡大発見においてＡＰは、どのＳＴＡが範囲拡大を必要としているかを決定することができる。１つまたは複数のＳＴＡは、範囲拡大を中断することを決定することができる。１つまたは複数のＳＴＡは、１つまたは複数のＳＴＡが範囲拡大を中断し得ることをＡＰに示すことができる。
【００７２】
図９は、ＭＵ範囲拡大発見のための例示のフレーム交換を示す。ＡＰは、範囲拡大（ＲＥ）発見フレームを送ることができる（例えば図９に示されるマルチユーザ発見要求など）。ＲＥ発見フレームは範囲拡大発見モードを開始することができる。ＲＥ発見フレームは特定のＳＴＡに送られ得る（例えばＲＥ発見フレームはＳＴＡから応答フレームを返すように要求することができる）。ＲＥ発見フレームは複数のＳＴＡに送られ得る。ＲＥ発見フレームは、スケジュールされたＯＦＤＭＡトリガフレームを備えることができる（例えばその中でＡＰは１つまたは複数の特定のＳＴＡをスケジュールする、および／またはＳＴＡのいくつかまたはすべてにＯＦＤＭＡ／ＵＬ−ＭＵ−ＭＩＭＯ応答を送り返すように要求することができる）。ＲＥトリガフレームは、フラグ（例えば１ビットフィールド）を有する通常のトリガフレームを備え得る。フラグは１つまたは複数のＳＴＡに、送信電力をＡＰに送るように示すことができる。ＲＥトリガフレームは、応答を送るためにＳＴＡが何のリソースを用いるべきかに関する情報を含むことができる。ＲＥトリガフレームは、ＯＦＤＭＡ／ＵＬ−ＭＵ−ＭＩＭＯ応答を送り返すように、トリガフレームを受信する複数のＳＴＡに対する命令／インジケーションを備えることができる。ＲＥトリガフレームはＡＰの送信電力を備えることができる。１つまたは複数のＳＴＡは、ＡＰの送信電力に基づいて経路損失を推定することができる。１つまたは複数のＳＴＡは、推定された経路損失に基づいてそれらが範囲拡大を用いるべきかどうかを決定する（例えばそれぞれ）ことができる。ＲＥトリガフレームは範囲拡大モードを用いて送られ得る（例えばＳＴＡがＲＥトリガフレームを受信できることを確実にするために）。ＲＥトリガフレームは、プリアンブルフィールドの１つまたは複数（例えばＬ−ＳＴＦおよび／またはＬ−ＬＴＦ）に対する３ｄＢブーストを含むことができる。ＲＥトリガフレームは、ＨＥ−ＳＩＧ−Ａ１および／またはＨＥ−ＳＩＧ−Ａ２を反復することができる。
【００７３】
１つまたは複数のＳＴＡのそれぞれ（例えばそれぞれスケジュールされたＳＴＡ）は、それが範囲拡大を必要としているか否かについての情報を送ることができる。例えば１つまたは複数のＳＴＡのそれぞれは、ＡＰに応答フレームを送ることができる（例えばＭＵ  ＮＤＰ応答フレームなど）。応答フレームは、ＳＴＡにポーリングするＡＰに基づくことができる（例えば応答はＳＴＡによって、ＳＴＡがＡＰから範囲拡大発見フレームを受信したことに応答して送られ得る）。応答フレームは、送信帯域幅全体にわたって送られ得る。応答フレームは、送信帯域幅全体の一部にわたって送られ得る。応答フレームは、マルチユーザ送信を開始するＡＰに基づくことができる（例えば応答は、ＯＦＤＭＡおよび／またはＵＬ−ＭＵ−ＭＩＭＯを通じて送られ得る）。応答フレームは、スケジュールされたリソースユニット（ＲＵ）上にＵＬ  ＯＦＤＭＡを用いて送られ得る。応答フレームは、周波数領域ランダムアクセスを用いて（例えばＵＬ−ＯＦＤＭＡを用いて）取得されたＲＵ上に送られ得る。応答フレームは、２つ以上のＳＴＡから（例えばＵＬ−ＭＵ−ＭＩＭＯを用いて）送られ得る（例えば同時に）。
【００７４】
応答フレームは、ＳＴＡの送信電力を示すことができる。ＡＰは、ＳＴＡの送信電力に基づいて範囲拡大が必要かどうかを決定することができる。応答フレームは、範囲拡大が必要かどうかを示す、ＳＴＡによって設定されるフラグ（例えば１ビットフィールド）を備え得る。送信電力および／またはフラグは、応答フレームプリアンブル内で送られ得る（例えばフィードバックオーバーヘッドを低減するために）。例えば送信電力および／またはフラグは、ＨＥ−ＳＩＧ−Ａフィールドおよび／またはＨＥ−ＳＩＧ−Ｂフィールド内で送られ得る。代替としてまたは追加として、送信電力および／またはフラグはＭＡＣフレーム内で送られ得る。
【００７５】
ＳＴＡは、応答フレームを送るための特定の電力レベルを設定することができる（例えばＡＰがフレームの受信に成功することを確実にするために）。ＳＴＡは、以下の１つまたは複数を通じて電力レベルを決定することができる。ＡＰ発見要求フレームは、ＡＰの送信電力を示すことができる（例えばその結果ＳＴＡはそれ自体の送信電力を、ＡＰの送信電力に基づいて決定することができる）。ＡＰ発見要求フレームは、ＳＴＡによって用いられるべき送信電力を示すことができる。ＡＰ発見要求フレームは、ＡＰにおける所望の受信電力を示すことができる（例えばＳＴＡからの応答フレームの受信に成功することを確実にするために）。応答フレームは、ＵＬ−ＯＦＤＭＡを用いて送信され得る（例えば送信は帯域幅ＲＵ（例えば小帯域幅ＲＵ）における最大送信電力を用いることができ、これは送信電力スペクトル密度を増加することができ、および／または応答フレームの適切な受信を確実にすることができる）。
【００７６】
ＡＰは、応答フレームの受信に対して肯定応答することができる。肯定応答は、図９に示されるようにＭＵ  ＡＣＫを通じて送られ得る。
【００７７】
ＵＬ−ＯＦＤＭＡ応答フレームは、ＵＬ−ＯＦＤＭＡ制御フレームを備えることができる（例えばＯＦＤＭＡヌルデータパケットなど）。ＵＬ−ＯＦＤＭＡ制御フレームは、特定のＲＵ内に予め定義された制御および／または信号フィールドを含むことができる。予め定義された制御および／または信号フィールドは、本明細書ではＨＥ−ＳＩＧ−Ｃフィールドと呼ばれ得る。
【００７８】
図１０は、範囲拡大応答のための例示のアップリンクＭＵ  ＯＦＤＭＡヌルデータパケットを示す。ＵＬ−ＯＦＤＭＡ制御フレームは、単一のｎトーンＲＵ内に適合し得る（例えばｎトーンＲＵはｎ個のサブキャリアを含むＲＵとすることができ、例えばｎは、２６、５２、１０４および／または同様な値を有し得る）。ＵＬ−ＯＦＤＭＡ制御フレームは、ＨＥ−ＳＴＦフィールドを備えることができる。ＨＥ−ＳＴＦフィールドは、ｎトーンＳＴＦを備え得る。ＨＥ−ＳＴＦフィールドは、ＲＵのサイズおよび／または位置に依存し得る。ＨＥ−ＳＴＦフィールドは送信帯域幅全体に広がることができる。ＵＬ−ＯＦＤＭＡ制御フレームは、ＨＥ−ＬＴＦフィールドを備えることができる。ＨＥ−ＬＴＦフィールドは、ｎトーンＬＴＦを備え得る。ＨＥ−ＬＴＦフィールドは、ＲＵのサイズおよび／または位置に依存し得る。ＨＥ−ＬＴＦフィールドは送信帯域幅全体に広がることができる。ＵＬ−ＯＦＤＭＡ制御フレームは、ＨＥ−ＳＩＧ−Ｃフィールドを備えることができる。ＨＥ−ＳＩＧ−Ｃフィールドは、ｎトーンＳＩＧフィールドを備え得る。ＨＥ−ＳＩＧ−Ｃフィールドは、ＡＰに送られることになる情報を表す異なるビットを備えることができる（例えばそれらで満たされるまたはそれらで固定される）。例えばＨＥ−ＳＩＧ−Ｃフィールドのビットは、範囲拡大モードオン／オフを示すように設定され得る。ＨＥ−ＳＩＧ−Ｃフィールドのビット表示（例えばＨＥ−ＳＩＧ−Ｃフィールドの構成）は、ＡＰからの特定のトリガ要求に依存し得る（例えばトリガ要求において求められる情報に依存する）。例えば範囲拡大インジケーションフラグおよび／または他の情報が、ＡＰに送り返され得る。
【００７９】
図１１は、例示の範囲拡大フォーマットを用いた、範囲拡大応答のための例示のＵＬ  ＭＵ  ＯＦＤＭＡヌルデータパケットを示す。例示のフォーマットは、範囲拡大モードを用いるように設定されたマルチユーザ要求および／または応答において使用され得る。このようなシナリオにおいてＬ−ＳＴＦフィールドおよび／またはＬ−ＬＴＦフィールドはブーストされ得る（例えば３ｄＢだけ）。ＳＩＧ−Ａフィールド（例えばＨＥ−ＳＩＧ−Ａ１およびＨＥ−ＳＩＧ−Ａ２フィールド）は、例えばＡＰとＳＴＡとの間のリンクが結合されることを確実にするために反復され得る（例えばＡＰに対する信号送信に基づくＳＴＡにおいて受信される電力が、データの送信をサポートできることを確実にするために）。
【００８０】
範囲拡大モードにおいて、クリアチャネル評価（ＣＣＡ）がもたらされ得る。本明細書で述べられるようにノード（例えばＡＰまたはＳＴＡなど）は、プリアンブル内のＬ−ＳＴＦフィールドに基づいて被受信信号強度情報（ＲＳＳＩ）を測定することができる。ノードは、ＰＭＤ．ＲＳＳＩ＿インジケーションフィールドに対する値を設定することができる（例えば測定されたＲＳＳＩに基づいて）。ＰＭＤ．ＲＳＳＩ＿インジケーション値は、ＰＨＹ＿ＣＣＡ．インジケーションフィールドの値を設定するためにＭＡＣによって用いられ得る（例えばＰＭＤ．ＲＳＳＩ＿インジケーション値を、必要とされる特定のエネルギー検出閾値と比較することによって）。プリアンブルが復号される場合、プリアンブル検出ＣＣＡ閾値が比較として用いられ得る。プリアンブルが復号されない場合、エネルギー検出ＣＣＡ閾値が比較として用いられ得る（例えばこれはプリアンブル検出ＣＣＡ閾値より大きくなり得る）。範囲拡大シナリオにおいてＰＭＤ．ＲＳＳＩ＿インジケーションフィールドは、チャネル内のエネルギーを過大評価し得る（例えばＬ−ＬＴＦフィールドが３ｄＢだけブーストされている場合があるので）。ＰＭＤ．ＲＳＳＩ＿インジケーションフィールドに示される過大評価されたチャネルエネルギーは、ネットワークスループットを低下させ得る（例えば高密度ネットワーク内で）。
【００８１】
図１２は、ＨＥ  ＳＵ  ＰＰＤＵおよびＨＥ範囲拡大型ＳＵ  ＰＰＤＵのための例示のプリアンブルフォーマットを示す。両方のプリアンブルは、Ｌ−ＳＴＦフィールドおよび／またはＬ−ＬＴＦフィールドを含み得る。ＨＥ範囲拡大型ＳＵ  ＰＰＤＵに対しては、Ｌ−ＳＴＦフィールドおよびＬ−ＬＴＦフィールドのいずれかまたは両方がブーストされ得る（例えば３ｄＢだけ）。ＨＥ−ＳＩＧ−Ａ１フィールドおよび／またはＨＥ−ＳＩＧ−Ａ２フィールドは、ＨＥ範囲拡大型ＳＵ  ＰＰＤＵ内では反復され得る。
【００８２】
ＨＥ−ＳＴＡに対してＣＣＡは、以下の規則の１つまたは複数に従って変更され得る（例えば範囲拡大モードで測定される増加されたエネルギーを考慮に入れるために）。ＨＥ−ＳＴＡの挙動に変化がないとき、ＨＥ−ＳＴＡは例えばＬ−ＳＴＦフィールドから推定されるＲＳＳＩを用いることができる。プリアンブルが検出されないとき、ＣＣＡは変更されてもされなくてもよい（例えばエネルギー検出閾値は大きい場合があるので）。プリアンブルが検出されるとき、ＣＣＡは変更され得る。ＨＥ−ＳＴＡはその挙動を、Ｌ−ＳＴＦおよび／またはＬ−ＬＴＦのエネルギーブーストを考慮に入れるように変更することができる。ＨＥ−ＳＴＡは、ＲＳＳＩ．インジケーションを調整することができる（例えばブーストを考慮するように）。ＨＥ−ＳＴＡは、ＲＳＳＩ．インジケーションを係数だけ調整することができる（例えばＰＭＤ．ＲＳＳＩ＿インジケーションを３ｄＢだけ低減する）。ＨＥ−ＳＴＡは、ＰＭＤ．ＲＳＳＩインジケーションを実装形態固有の値だけ低減することができる（例えば変化が線形ではない場合があるので）。
【００８３】
ＨＥ−ＳＴＡは、ＨＥ−ＳＴＦのＲＳＳＩを測定することができる。ＨＥ−ＳＴＡは、測定されたＲＳＳＩ値を用いてＰＨＹ＿ＣＣＡ．インジケーションを設定することができる。ＨＥ−ＳＴＡは、Ｌ−ＳＴＦを検出することができる。ＨＥ−ＳＴＡは、ＲＳＳＩを推定することができる。ＨＥ−ＳＴＡは、推定されたＲＳＳＩをＰＭＤ．ＲＳＳＩ＿インジケーションに含めることができる。ＨＥ−ＳＴＡは、反復されたＬ−ＳＩＧフィールドを検出することができる。反復されたＬ−ＳＩＧフィールドは、パケットがＨＥパケットであることを示すことができる。ＨＥ−ＳＴＡは、ＨＥ−ＳＩＧ−Ａ２フィールドをＱＢＰＳＫとして検出することができ、これはＨＥ範囲拡大型ＳＵ  ＰＰＤＵを示すことができる。ＨＥ−ＳＴＡは、反復されたＨＥ−ＳＩＧ−Ａフィールドを復号することができる。ＨＥ−ＳＴＡは、ＨＥ−ＳＴＦを検出することができる。ＨＥ−ＳＴＡは、再推定されたＲＳＳＩを決定することができる。ＨＥ−ＳＴＡは、再推定されたＲＳＳＩをＰＭＤ．ＲＳＳＩに含めることができる。ＨＥ−ＳＴＡは、ＰＭＤ．ＲＳＳＩを用いてＰＨＹ＿ＣＣＡ．インジケーションを推定することができる。
【００８４】
範囲拡大モードのために、ヘッドルームインジケーションがもたらされ得る。ＳＴＡが最大電力近くで送信するとき、ＳＴＡはそれのＬ−ＳＴＦおよび／またはＬ−ＬＴＦをブーストする（例えば３ｄＢだけ）ための余分の電力を有し得ない。ＳＴＡは、送信電力を示すことに加えてまたはその代わりに、電力ヘッドルームをＡＰに示すことができる（例えばＲＥに対する測定時、および／またはＡＰとの関連付け時に）。電力ヘッドルームインジケーションは、ＳＴＡが送信し得る最大電力を備えることができる。電力ヘッドルームインジケーションは、ＳＴＡによって許容される電力における変化を備えることができる。
【００８５】
ＡＰに関連付けるとき（例えば範囲拡大発見時、および／または範囲拡大要求／応答フレーム交換時に）、ＳＴＡはＡＰに送信電力情報を送るおよび／または送信電力ヘッドルーム（例えば送信電力ヘッドルームインジケーション）を送ることができる。電力ヘッドルームが３ｄＢ未満である場合、ＡＰはＳＴＡを範囲拡大モードにしないことを決定することができる。
【００８６】
図１３は、ヘッドルーム制限に起因した電力調整の例を示す。ＡＰはＳＴＡに、ＰＰＤＵのすべてまたは一部を（例えばＬ−ＳＴＦ／Ｌ−ＬＴＦを除いて）、より低い送信電力で送信するように要求することを決定することができる（例えば範囲拡大のために必要な３ｄＢのヘッドルームを許容するために）。ＳＴＡは、ＳＴＡの送信電力をスケーリング（例えば比率が一定に保たれることを確実にするために）することを決定することができる（例えばＡＰからの要求に応答して、またはＡＰからの要求なしに自律的に）。例えばＳＴＡは、２ワットのヘッドルームを有して５ワットで送信することができる（例えばＳＴＡの最大送信電力は７ワットとすることができる）。電力ブーストは、１０ワットの送信エネルギーを必要とし得る。ＳＴＡは、電力ブーストを有してパケット全体を３．５ワットで送信することができる（例えば電力ブーストなしで５ワットで送信するのと対照的に）。ＳＴＡは、電力ブーストを有してパケットの一部分（例えばＨＥ−ＳＴＦの前）を３．５ワットで送信することができ（例えば電力ブーストなしで５ワットでその部分を送信するのと対照的に）、およびパケットの残り（例えばＨＥ−ＳＴＦから始まる）を５ワットで送信することができる。
【００８７】
ＡＰは、ＳＴＡがＬＴＦを３ｄＢより低い値だけブーストすることを許容し得る。より低い値は、送信器（例えばこれはＡＰまたはＳＴＡであり得る）と、受信器（例えばこれはＡＰまたはＳＴＡであり得る）との間で合意された値の個別のセットのうちの１つとすることができる。より低い値はシグナリングされ得る（例えばＳＴＡによってＡＰに対して）。シグナリングは、範囲拡大ブースト値を示すために用いられ得る。ＵＬ  ＭＵ  ＮＤＰは、１つまたは複数のビットを用いて、Ｌ−ＳＴＦおよび／またはＬ−ＬＴＦにおいて用いられるブーストを示すことができる。ＲＥ応答フレームは、それが能力を有するブーストの大きさを示すことができる。ＡＰは、ＡＣＫを送って、ＳＴＡからのブーストレベルの受信を肯定応答することができる。
【００８８】
ＡＰは、ＵＬ−ＯＦＤＭＡを用いるようにＳＴＡを構成することによって、ＳＴＡからの送信を確実にすることができる（例えばＳＴＡはＵＬ−ＯＦＤＭＡのみを用いるように構成され得る）。このような場合総送信電力は、より小さな帯域幅においてスケジュールされ得る（例えば電力スペクトル密度を増加させるために）。
【００８９】
範囲拡大モードのために、電力スケーリングがもたらされ得る。ＳＴＡは、それのＬ−ＳＴＦおよび／またはＬ−ＬＴＦを３ｄＢだけブーストした後に最大電力を超える電力を用いて送信することができる。ＳＴＡは、それのＬ−ＳＴＦおよび／またはＬ−ＬＴＦを３ｄＢだけブーストした後に、電力スケーリングを適用することができる（例えばＳＴＡが送信する前に）。電力スケーリングは、プリアンブルとデータとの間の相対的な電力差を維持することができる（例えばＬ−ＳＴＦ／ＬＴＦ、Ｌ−ＳＩＧ／ＲＬ−ＳＩＧ、およびＨＥ−ＳＩＧ１／ＨＥ−ＳＩＧ１’、ＨＥ−ＳＩＧ２／ＨＥ−ＳＩＧ２’を含む１つまたは複数のフィールドに対して、例えば同じまたは同様なＰＥＲ性能が維持され得るように）。電力スケーリングは、自動的ＳＴＡ電力スケーリングとすることができる（例えばＡＰ制御なしに）。電力スケーリングは、範囲拡大モードの複数の側面において有用となり得る（例えばＡＰがＬ−ＳＴＦ／ＬＴＦに対する電力ブースト、または範囲拡大を適用するように誤った決定をする場合）。
【００９０】
ＡＰのもとでの複数のＢＳＳに対して、ＢＳＳカラーがもたらされ得る。単一ＢＳＳシナリオにおいて、ＢＳＳ内の１つまたは複数のＳＴＡは、ＢＳＳカラーおよび／または関連付けられたＵＬ／ＤＬビットを用いて、省電力モードに入ることができる。ＢＳＳ内の１つまたは複数のＳＴＡは、ＢＳＳカラーおよび／または関連付けられたＵＬ／ＤＬビットを用いて、いつＮＡＶを設定するか、いつ１つまたは複数のＯＢＳＳプリアンブル検出閾値を用いるか、および／またはいつフレーム保護のために１つまたは複数のＣｏｎｔｅｎｔｉｏｎ  Ｆｒｅｅ−Ｅｎｄ（ＣＦ−ＥＮＤ）パケットに応答するかを決定することができる。
【００９１】
複数のＢＳＳが物理ＡＰのもとにあるとき２つ以上の無線機に、２つ以上の無線機のそれぞれに割り当てられた複数のＢＳＳＩＤがもたらされ得る。同じ媒体（例えば同じチャネル）にアクセスする２つ以上の無線機に対して、省電力および／または空間再利用がもたらされ得る。ＳＴＡは、それの媒体にアクセスし得るＢＳＳＩＤの１つまたは複数（例えばすべて）を識別することができる。
【００９２】
各ＢＳＳには、別々のカラーが割り当てられ得る。ＡＰはＳＴＡに、ＳＴＡが応答するべき１つまたは複数（例えばすべて）のＢＳＳカラーを通知することができる（例えばＳＴＡがそれ自体のＢＳＳカラーにどのように応答し得るかと同様に）。ＢＳＳには、特定のＢＳＳカラーおよび／またはＢＳＳカラーグループが割り当てられ得る。例えば同じチャネル（例えば媒体）にアクセスする１つまたは複数（例えばすべて）のＢＳＳＩＤには、同じＢＳＳカラーが割り当てられ得る（例えば制限された数の使用可能なＢＳＳカラーに対応するように）。ＳＴＡは、ＢＳＳカラーおよび／またはＢＳＳカラーグループについて通知され得る。
【００９３】
ＢＳＳカラーは、（例えばそれぞれの）仮想ＢＳＳに割り当てられ得る。物理ＡＰ  ＢＳＳカラーは、仮想ＢＳＳに割り当てられたＢＳＳカラーに基づいて決定され得る。例えば各仮想ＢＳＳには、ＢＳＳカラーおよび／またはマスクが割り当てられ得る。仮想ＢＳＳに関連付けられた仮想ＡＰは、ＢＳＳカラー、および／または仮想ＢＳＳに関連付けられたマスクを備え得る。仮想ＡＰは、個別のカラーを用いることができ、および／または物理ＡＰから到着する１つまたは複数のパケットを識別することができる。
【００９４】
図１４は、例示の複数ＢＳＳＩＤ要素フォーマットを示す。複数ＢＳＳ要素は、１つまたは複数の（例えばそれぞれの）ＢＳＳに関連付けられた１つまたは複数のＢＳＳカラーをシグナリングするように拡張され得る。１つまたは複数のＢＳＳカラーは、物理ＡＰおよび／または特定のＢＳＳに関連付けられた１つまたは複数のＳＴＡにシグナリングされ得る。複数ＢＳＳＩＤ要素は、任意選択の部分要素を備えることができる。１つのこのような任意選択の部分要素は、物理ＢＳＳ内の仮想ＢＳＳの数を示し得るＭａｘＢＳＳＩＤインジケータフィールドとすることができる。他の任意選択の部分要素は、特定のＢＳＳのＢＳＳカラーを示し得るＢＳＳカラーフィールドとすることができる。他の任意選択の部分要素は、ＢＳＳカラーのグループ化を示し得るＢＳＳカラーグループフィールドとすることができる。ＢＳＳカラーグループフィールドは、例えば各ＢＳＳに別々のＢＳＳカラーが割り当てられるときに用いられ得る。
【００９５】
物理ＡＰ  ＢＳＳカラーには、ＣＦ−ＥＮＤフレームがもたらされ得る。これは、第１のＳＴＡ（例えばＳＴＡ１）および第２のＳＴＡ（例えばＳＴＡ２）は第１の仮想ＡＰ（例えばＢＳＳＩＤ１）に関連付けられることができ、および第３のＳＴＡ（例えばＳＴＡ３）は第２の仮想ＡＰ（例えばＢＳＳＩＤ２）に関連付けられ得る以下の例に示される。物理ＡＰ（例えばＢＳＳＩＤ０）には、１つまたは複数（例えばすべて）の仮想ＢＳＳが媒体上の物理ＡＰに関連付けられることを示すために、ＢＳＳカラー０が割り当てられ得る。例示のビーコンフレームは以下の要素の１つまたは複数を備え得る：要素ＩＤ、長さ、ＭａｘＢＳＳＩＤインジケータ（例えばこれには２の値が割り当てられ得る）、物理ＡＰ  ＢＳＳＩＤ（例えばこれにはＢＳＳ０の値が割り当てられ得る）、物理ＡＰ  ＢＳＳカラー（例えばこれには０の値が割り当てられ得る）；仮想ＡＰ１  ＢＳＳＩＤ（これにはＢＳＳ１の値が割り当てられ得る）；仮想ＡＰ１  ＢＳＳカラー（これには１の値が割り当てられ得る）、仮想ＡＰ１  ＢＳＳカラーグループ（これには０の値が割り当てられ得る）；仮想ＡＰ２  ＢＳＳＩＤ（例えばこれにはＢＳＳ２の値が割り当てられ得る）；仮想ＡＰ２  ＢＳＳカラー（例えばこれには２の値が割り当てられ得る）；および仮想ＢＳＳカラーグループ（例えばこれには２の値が割り当てられ得る）。
【００９６】
第１のＳＴＡは、第１の仮想ＡＰに送信要求（ＲＴＳ）を送ることができる。物理ＡＰは、第１のＳＴＡに送信可（ＣＴＳ）メッセージを送ることができる（例えばフレーム内でＢＳＳカラーおよび／または物理ＡＰ  ＢＳＳＩＤを０に設定しながら）。第１のＳＴＡ、第２のＳＴＡ、および第３のＳＴＡのそれぞれのＮＡＶが設定され得る。第１のＳＴＡは、ＣＦ−ＥＮＤを物理ＡＰに送ることができる。第２のＳＴＡは、ＣＦ−ＥＮＤを受信する（例えばオーバーヒアする）ことができる。第２のＳＴＡは、第２のＳＴＡのＮＡＶをリセットすることができる（例えばＣＦ−ＥＮＤを受信するとすぐに）。物理ＡＰは、反復されたＣＦ−ＥＮＤを送ることができる（例えばＢＳＳカラーおよび／またはＢＳＳＩＤが０に設定された状態で）。第３のＳＴＡは、第３のＳＴＡのＮＡＶをリセットすることができる（例えば反復されたＣＦ−ＥＮＤを受信するとすぐに）。
【００９７】
アップリンク送信に、異なるフラグメンテーション能力がもたらされ得る。ＡＰは、１つまたは複数（例えばそれぞれ）のＳＴＡに対してフラグメンテーションレベルを取り決めることができる。フラグメンテーションレベルは、関連付け要求／応答フレーム交換の一部として設定され得る（例えば初期アクセスを通したＳＴＡとＡＰとの関連付け時に）。
【００９８】
ＡＰからのビーコンフレームおよび／またはプローブ応答フレームは、ＡＰによってサポートされる予め定義されたフラグメンテーションレベルを備えることができる。レベルは、より高いフラグメンテーションレベルに対するサポートは、より低いフラグメンテーションレベルに対するサポートを示すように定義され得る（例えばより高いフラグメンテーションレベルがシグナリングされた場合、このようなシグナリングは、より低いレベルに対するサポートも意味すると解釈され得る）。フラグメンテーションレベルは固定値とすることができる（例えばそのフラグメンテーションレベルのみに対するサポートを示す）。フラグメンテーションレベルは、範囲内で変わり得る（例えば複数の固定値がサポートされ得る）。
【００９９】
ビーコンおよび／またはプローブ応答フレームが、取り決めに対する許容を示す場合、ＳＴＡはフラグメンテーションレベル（例えば所望のフラグメンテーションレベル）を示す（例えば提案する）ことができる。フラグメンテーションレベルは、関連付け要求フレーム内に示され得る。ＡＰは、ＳＴＡによって提案されたフラグメンテーションレベルの受諾または拒絶を示すことができる。例えばＡＰは、ＳＴＡによって提案されたフラグメンテーションレベルの受諾または拒絶を示す、関連付け応答フレーム内のフラグを設定することができる。ＡＰが、ＳＴＡによって提案されたフラグメンテーションレベルを受諾する場合、ＳＴＡはネットワークを認証し、それに加わることができる。ＡＰがＳＴＡによって提案されたフラグメンテーションレベルを拒絶する場合、ＳＴＡはネットワークに加わることができない。
【０１００】
異なるＳＴＡは、異なるフラグメンテーション能力を有することができる。ＡＰは１つまたは複数のスケジュールされたＳＴＡに基づいて、フラグメンテーションレベルを変更する（例えば動的に調整する）ことができる。例えばＡＰが、異なるフラグメンテーションレベルを用いる複数のスケジュールされたＳＴＡに関連付けられる場合、ＡＰはスケジュールされたＳＴＡのフラグメントレベルを変更することができる（例えば同じレベルに）。変更されたフラグメンテーション能力レベルは、トリガフレーム内でシグナリングされ得る（例えば１人または複数のユーザをスケジュールするために用いられるトリガフレーム内で）。特定のフラグメンテーションレベル（例えばユーザまたはＳＴＡに固有のフラグメンテーションレベル）が、ＨＥ−ＳＩＧ−ＢフィールドのユーザまたはＳＴＡ固有部分内でシグナリングされ得る。
【０１０１】
ＳＴＡは、所望のフラグメンテーションレベルを用いてデータを送信および／または受信することができる。ＡＰは、アップリンク送信においてスケジュールされることになる１つまたは複数のＳＴＡの最も低い共通フラグメンテーションレベルに基づいて、フラグメンテーションレベルを決定することができる。ＡＰは、決定されたフラグメンテーションレベルを１つまたは複数のＳＴＡにシグナリングすることができる。
【０１０２】
例えば短いアップリンク制御および／または管理情報を運ぶために、ＨＥトリガベースＵＬ  ＮＤＰ  ＰＰＤＵフレームがもたらされ得る。短いアップリンク制御および／または管理情報は、バッファステータスレポートを備えることができる。バッファステータスレポートは、ＳＴＡが送るためのトラフィックを有することを示し得る。短いアップリンク制御および／または管理情報は、範囲拡大モードに切り換える要求を示すフラグを備えることができる。
【０１０３】
図１５は、トリガベースＵＬ  ＮＤＰ  ＰＰＤＵの例示の送信を示す。送信（例えばトリガベースＵＬ  ＮＤＰ  ＰＰＤＵ送信）は、トリガフレームによって開始され得る。ＡＰは、送信のための媒体を競合および／またはスケジューリングによって取得することができる。ＡＰはトリガフレームを送信することができる。トリガフレームはＭＵ  ＰＰＤＵフォーマットを備え得る。トリガフレームはＳＵ  ＰＰＤＵフォーマットを備え得る。トリガフレームは、専用ＵＬ送信および／またはＵＬランダムアクセスをトリガすることができる。トリガフレームは、１つまたは複数の接続されたＳＴＡからの、１つまたは複数のトリガベースＵＬ  ＮＤＰ  ＰＰＤＵ送信を開始することができる。トリガフレームはトリガタイプを備え得る。トリガタイプは、予期されるＵＬフレームが例えば小さな制御フレームまたは管理フレームであるかどうかを示すことができる。トリガフレームはＮＤＰインジケーションを備え得る。ＮＤＰインジケーションは、トリガフレームの共通情報フィールドおよび／またはユーザ固有情報フィールド内に含まれ得る。
【０１０４】
ＳＴＡは、トリガフレームを受信することができる。トリガフレームを受信するとすぐにＳＴＡは、ＳＴＡがトリガフレームの意図された受信者かどうかを決定することができる。ＮＤＰインジケーションがトリガフレーム内に含まれる場合、ＳＴＡは、制御および／または管理フレームのためのＮＤＰ  ＰＰＤＵを用意することができる（例えばトリガタイプに基づいて）。ＮＤＰインジケーションがトリガフレーム内に含まれない場合、ＳＴＡは通常のＭＡＣフレームを用いて送信を用意することができる。
【０１０５】
トリガベースＵＬ  ＮＤＰ  ＰＰＤＵにおいて、ＳＴＡの１つまたは複数（例えばすべて）からのＵＬ送信は、ＭＡＣフレームを含まなくてもよい。ＵＬ送信はＳＩＧフィールドを備え得る。ＳＩＧフィールドは、ＭＡＣ制御および／または管理情報を含むことができる。ＡＰは、第１のＳＴＡはＮＤＰフレームを用いて返答すること、一方、第２のＳＴＡは通常のＭＡＣフレームを用いて返答することを要求することができる。
【０１０６】
ＨＥトリガベースＵＬ  ＮＤＰ  ＰＰＤＵフレームは、例えば本明細書で述べられるＨＥ−ＳＩＧ−Ｃフィールドを含む複数のフィールドを備えることができる。ＨＥ−ＳＩＧ−Ｃフィールドは、トリガタイプに基づいて定義され得る。例えばＨＥトリガベースＵＬ  ＮＤＰ  ＰＰＤＵフレームは以下のＵＬ  ＮＤＰ制御／管理フレームの１つまたは複数をサポートすることができる：ＨＥ  ＮＤＰ  ＣＴＳ、ＨＥ  ＮＤＰ  ＰＳ−ＰＯＬＬ、ＨＥ  ＮＤＰ  ＵＬトラフィックレポート、ＨＥ  ＮＤＰ  ＵＬ  ＴＸＯＰ要求、および／またはＨＥ  ＮＤＰ  ＵＬ  ＡＣＫ／ＢＡ。
【０１０７】
ＨＥ−ＳＩＧ−Ｃフィールドは、トリガフレームによって設定されたＭＣＳセットを用いることができる。ＨＥ−ＳＩＧ−Ｃフィールドによって用いられるＭＣＳは、ＨＥ−ＳＩＧ−Ａフィールド内でシグナリングされ得る。ＨＥ−ＳＩＧ−Ｃフィールドは、特定のＲＵ内で送信されることができ（例えば図１０に示されるように）、残りの割り当てられたＲＵの１つまたは複数において位相回転を用いて反復され得る。ＨＥ−ＳＩＧ−Ｃフィールドは、割り当てられたＲＵを通して送信され得る。同じＨＥ−ＳＩＧ−Ｃが各ＲＵ内で送信されることができ、ダイバーシティは位相回転によって達成され得る。異なるＨＥ−ＳＩＧ−Ｃが、異なるユーザ専用の異なるＲＵ内で送信され得る。複合型の手法が採用され得る（例えば同じＨＥ−ＳＩＧ−Ｃおよび位相回転をいくつかのＲＵ内で、および異なるＨＥ−ＳＩＧ−Ｃを他のＲＵ内で用いる）。
【０１０８】
図１６は、例示のアップリンクＭＵ−ＯＦＤＭＡ  ＮＤＰフレームを示す。ＨＥ−ＳＩＧ−Ｃフィールドは、１つまたは複数のＲＵに送信され得る（例えば帯域全体にわたって）。ＨＥ−ＳＩＧ−Ｃフィールドは、空間および／または符号領域においてＡＰによって分離され得る。例えばＨＥ−ＳＩＧ−Ｃフィールドは、ＨＥ−ＰＰＤＵの６４ポイントＦＦＴ領域内で送られ得る。
【０１０９】
本明細書では特徴が述べられるが、各特徴および要素は他の特徴なしに、または他の特徴との様々な組み合わせを有してまたは有さずに用いられ得る。
【０１１０】
本明細書では８０２．１１固有のプロトコルが述べられるが、本明細書で述べられる特徴はこのシナリオに限られず、他の無線システムにおいて適用され得る。
【０１１１】
例において様々なフレーム間間隔を示すためにＳＩＦＳが用いられるが、ＲＩＦＳ、ＡＩＦＳ、ＤＩＦＳ、または他の合意された時間間隔などの他のフレーム間間隔が、同じソリューションにおいて適用され得る。
【０１１２】
上述のプロセスは、コンピュータおよび／またはプロセッサによる実行のためにコンピュータ可読媒体に組み込まれたコンピュータプログラム、ソフトウェア、および／またはファームウェアにおいて実施され得る。コンピュータ可読媒体の例は、電子信号（有線および／または無線接続を通して送信される）、および／またはコンピュータ可読記憶媒体を含むが、それらに限定されない。コンピュータ可読記憶媒体の例は、読み出し専用メモリ（ＲＯＭ）、ランダムアクセスメモリ（ＲＡＭ）、レジスタ、キャッシュメモリ、半導体メモリデバイス、非限定的に内蔵ハードディスクおよびリムーバブルディスクなどの磁気媒体、光磁気媒体、および／またはＣＤ−ＲＯＭディスクおよび／またはデジタル多用途ディスク（ＤＶＤ）などの光媒体を含むが、それらに限定されない。ＷＴＲＵ、端末装置、基地局、ＲＮＣ、および／または任意のホストコンピュータにおける使用のために、無線周波数トランシーバを実施するように、ソフトウェアと関連してプロセッサが用いられ得る。
【図１Ａ】
2019502327.tif 000003
【図１Ｂ】
2019502327.tif 000004
【図１Ｃ】
2019502327.tif 000005
【図２】
2019502327.tif 000006
【図３】
2019502327.tif 000007
【図４】
2019502327.tif 000008
【図５】
2019502327.tif 000009
【図６Ａ】
2019502327.tif 000010
【図６Ｂ】
2019502327.tif 000011
【図７Ａ】
2019502327.tif 000012
【図７Ｂ】
2019502327.tif 000013
【図８】
2019502327.tif 000014
【図９】
2019502327.tif 000015
【図１０】
2019502327.tif 000016
【図１１】
2019502327.tif 000017
【図１２】
2019502327.tif 000018
【図１３】
2019502327.tif 000019
【図１４】
2019502327.tif 000020
【図１５】
2019502327.tif 000021
【図１６】
2019502327.tif 000022
【手続補正書】
【提出日】平成30年9月13日(2018.9.13)
【手続補正１】
【補正対象書類名】特許請求の範囲
【補正対象項目名】全文
【補正方法】変更
【補正の内容】
【特許請求の範囲】
【請求項１】
ステーション（ＳＴＡ）であって、
送信器と、受信器と、プロセッサとを備え、
前記受信器は、複数のＳＴＡからのアップリンク（ＵＬ）ヌルデータパケット（ＮＤＰ）フレームに対するインジケーションとトリガタイプとを少なくとも含んだトリガフレームを受信するように構成され、
前記受信されたトリガフレームに応答して、および前記トリガタイプに基づいて、前記プロセッサは第１のＮＤＰフレームを生成するように構成され、
前記送信器は、少なくともフィードバックレポートを含んだ前記第１のＮＤＰフレームを送信するように構成されている、ＳＴＡ。
【請求項２】
前記プロセッサは、前記受信されたトリガフレーム内のフィールドをチェックすることによって、前記ＳＴＡが前記トリガフレームの意図された受信者であることを検証するようにさらに構成されている、
請求項１に記載のＳＴＡ。
【請求項３】
ＵＬ  ＮＤＰフレームに対する前記インジケーションは、前記トリガフレームの共通情報フィールド内にある、請求項１に記載のＳＴＡ。
【請求項４】
ＵＬ  ＮＤＰフレームに対する前記インジケーションは、前記トリガフレームのユーザ固有情報フィールド内にある、請求項１に記載のＳＴＡ。
【請求項５】
前記第１のＮＤＰフレームは、ＵＬリソース要求をさらに含む、請求項１に記載のＳＴＡ。
【請求項６】
前記ＵＬリソース要求は、ＵＬ  ＴＸＯＰ要求である、請求項５に記載のＳＴＡ。
【請求項７】
前記第１のＮＤＰフレームは、小さな制御フレームまたは管理フレームである、請求項１に記載のＳＴＡ。
【請求項８】
前記フィードバックレポートは、ＵＬトラフィックレポートである、請求項１に記載のＳＴＡ。
【請求項９】
高効率（ＨＥ）ＳＴＡとして構成されている、請求項１に記載のＳＴＡ。
【請求項１０】
前記プロセッサおよび送信器は、前記受信されたトリガフレームに少なくとも部分的に基づいて、送信パラメータを決定するようにさらに構成されている、
請求項１に記載のＳＴＡ。
【請求項１１】
ステーション（ＳＴＡ）によって実行される方法であって、
複数のＳＴＡからのアップリンク（ＵＬ）ヌルデータパケット（ＮＤＰ）フレームに対するインジケーションとトリガタイプとを少なくとも含んだトリガフレームを受信することと、
前記受信されたトリガフレームに応答して、および前記トリガタイプに基づいて、第１のＮＤＰフレームを生成することと、
少なくともフィードバックレポートを含んだ前記第１のＮＤＰフレームを送信することと、
を含む方法。
【請求項１２】
前記受信されたトリガフレーム内のフィールドをチェックすることによって、前記ＳＴＡが前記トリガフレームの意図された受信者であることを検証すること
をさらに含む、請求項１１に記載の方法。
【請求項１３】
ＵＬ  ＮＤＰフレームに対する前記インジケーションは、前記トリガフレームの共通情報フィールド内にある、請求項１１に記載の方法。
【請求項１４】
ＵＬ  ＮＤＰフレームに対する前記インジケーションは、前記トリガフレームのユーザ固有情報フィールド内にある、請求項１１に記載の方法。
【請求項１５】
前記第１のＮＤＰフレームは、ＵＬリソース要求をさらに含む、請求項１１に記載の方法。
【請求項１６】
前記ＵＬリソース要求は、ＵＬ  ＴＸＯＰ要求である、請求項１５に記載の方法。
【請求項１７】
前記第１のＮＤＰフレームは、小さな制御フレームまたは管理フレームである、請求項１１に記載の方法。
【請求項１８】
前記フィードバックレポートは、ＵＬトラフィックレポートである、請求項１１に記載の方法。
【請求項１９】
前記ＳＴＡは、高効率（ＨＥ）ＳＴＡとして構成されている、請求項１１に記載の方法。
【請求項２０】
前記受信されたトリガフレームに少なくとも部分的に基づいて、送信パラメータを決定すること
をさらに含む、請求項１１に記載の方法。
【国際調査報告】
2019502327.tif 000023
2019502327.tif 000024
2019502327.tif 000025